(57)【特許請求の範囲】
【請求項１】
シート状のブランクにより形成されたトレーであって、
トレーが底面部（１００、２００）を有し、
底面部は、
互いに平行な一対の辺部で右側面側の辺部である第１辺部（１０２ａ、２０２ａ）と左側面側の辺部である第２辺部（１０２ｃ、２０２ｃ）を有する中底面部（１０２、２０２）と、
中底面部の第１辺部から第１折れ線を介して連設されるとともに、第１辺部の反対側である右側面側に第３辺部（１０４ｃ、２０４ｃ）を有する右底面部（１０４、２０４）と、
中底面部の第２辺部から第２折れ線を介して連設されるとともに、第２辺部の反対側である左側面側に第４辺部（１０６ｃ、２０６ｃ）を有する左底面部（１０６、２０６）と、を有し、
右底面部は、中底面部に対して上側に傾斜し、左底面部は、中底面部に対して上側に傾斜し、
第１辺部と第３辺部が互いに平行に形成されるとともに、第２辺部と第４辺部は互いに平行に形成され、
第１辺部と第３辺部間の長さ（Ｌ１、Ｌ３）と第２辺部と第４辺部間の長さ（Ｌ２、Ｌ４）とが略同一に形成され、
第１辺部の正面側の端部から背面側の端部までの途中位置である第１基点（Ｐ１０ａ、Ｐ２０ａ）と、第１基点を始点として第１辺部に直角な直線である第１仮想直線が第２辺部と接する点である第２基点（Ｐ１０ｂ、Ｐ２０ｂ）の間に第１基点と第２基点を結ぶ方向に第１折曲げ補助線（Ｃ１０２、Ｃ２０２）が形成され、
第１基点を始点として第１辺部との背面側の角度（α１２、α３２）が鋭角となるように背面側に傾斜した直線である第２仮想直線が第３辺部と接する点である第３基点（Ｐ１０ｃ、Ｐ２０ｃ）と第１基点の間に第３基点と第１基点を結ぶ方向に第２折曲げ補助線（Ｃ１０４、Ｃ２０４）が形成され、
第２基点を始点として第２辺部との背面側の角度（α２２、α４２）が鋭角となるように背面側に傾斜した直線である第３仮想直線が第４辺部と接する点である第４基点（Ｐ１０ｄ、Ｐ２０ｄ）と第２基点の間に第４基点と第２基点を結ぶ方向に第３折曲げ補助線（Ｃ１０６、Ｃ２０６）が形成され、
第１辺部と第２仮想直線間の背面側の鋭角の角度（α１２、α３２）と第２辺部と第３仮想直線間の背面側の鋭角の角度（α２２、α４２）が略同一に形成され、
底面部における第１仮想直線と第２仮想直線と第３仮想直線よりも正面側の領域である前底面部（１００Ａ、２００Ａ）を、底面部における第１仮想直線と第２仮想直線と第３仮想直線よりも背面側の領域である後底面部（１００Ｂ、２００Ｂ）に対して、第１折曲げ補助線と第２折曲げ補助線と第３折曲げ補助線を介して下方に折り曲げることにより、右底面部における第２仮想直線よりも正面側の領域である右前底面部（１０４Ａ、２０４Ａ）における少なくとも背面側の領域が、第１折れ線を介して中底面部における第１仮想直線よりも正面側の領域である中前底面部（１０２Ａ、２０２Ａ）に対して下方に折れ曲がった状態になるとともに、左底面部における第３仮想直線よりも正面側の領域である左前底面部（１０６Ａ、２０６Ａ）における少なくとも背面側の領域が、第２折れ線を介して中前底面部（１０２Ａ、２０２Ａ）に対して下方に折れ曲がった状態になって、前底面部が後底面部に対して下方に折れ曲がった状態が維持されることを特徴とするトレー。
【請求項２】
シート状のブランクにより形成されたトレーであって、
底面部（１００）と、右側面部（１２０）と、左側面部（１３０）と、背面部（１１０）とを有し、
底面部は、
互いに平行な一対の辺部で右側面側の辺部である第１辺部（１０２ａ）と左側面側の辺部である第２辺部（１０２ｃ）を有する中底面部（１０２）と、
中底面部の第１辺部から第１折れ線を介して連設された右底面部（１０４）と、
中底面部の第２辺部から第２折れ線を介して連設された左底面部（１０６）と、を有し、
右底面部は、中底面部に対して上側に傾斜し、左底面部は、中底面部に対して上側に傾斜し、
右側面部は、右底面部の右側面側の辺部である第３辺部（１０４ｃ）から折れ線を介して連設され、
左側面部は、左底面部の左側面側の辺部である第４辺部（１０６ｃ）から折れ線を介して連設され、
第１辺部と第３辺部が互いに平行に形成されるとともに、第２辺部と第４辺部は互いに平行に形成され、
第１辺部と第３辺部間の長さ（Ｌ１）と第２辺部と第４辺部間の長さ（Ｌ２）とが略同一に形成され、
背面部は、少なくとも中底面部の背面側の辺部（１０２ｂ）から折れ線を介して連設され、
右側面部と背面部とは第１接続手段（１４０）により接続され、左側面部と背面部とは第２接続手段（１５０）により接続され、
第１辺部の正面側の端部から背面側の端部までの途中位置である第１基点（Ｐ１０ａ）と、第１基点を始点として第１辺部に直角な直線である第１仮想直線が第２辺部と接する点である第２基点（Ｐ１０ｂ）の間に第１基点と第２基点を結ぶ方向に第１折曲げ補助線（Ｃ１０２）が形成され、
第１基点を始点として第１辺部との背面側の角度（α１２）が鋭角となるように背面側に傾斜した直線である第２仮想直線が第３辺部と接する点である第３基点（Ｐ１０ｃ）と第１基点の間に第３基点と第１基点を結ぶ方向に第２折曲げ補助線（Ｃ１０４）が形成され、
第２基点を始点として第２辺部との背面側の角度（α２２）が鋭角となるように背面側に傾斜した直線である第３仮想直線が第４辺部と接する点である第４基点（Ｐ１０ｄ）と第２基点の間に第４基点と第２基点を結ぶ方向に第３折曲げ補助線（Ｃ１０６）が形成され、
第１辺部と第２仮想直線間の背面側の鋭角の角度（α１２）と第２辺部と第３仮想直線間の背面側の鋭角の角度（α２２）が略同一に形成され、
右側面部の正面側の辺部が第３辺部と接する位置である第１接点は、第３基点の位置又は第３基点よりも背面側の位置にあり、左側面部の正面側の辺部が第４辺部と接する位置である第２接点は、第４基点の位置又は第４基点よりも背面側の位置にあり、
底面部における第１仮想直線と第２仮想直線と第３仮想直線よりも正面側の領域である前底面部（１００Ａ）を、底面部における第１仮想直線と第２仮想直線と第３仮想直線よりも背面側の領域である後底面部（１００Ｂ）に対して、第１折曲げ補助線と第２折曲げ補助線と第３折曲げ補助線を介して下方に折り曲げることにより、右底面部における第２仮想直線よりも正面側の領域である右前底面部（１０４Ａ）における少なくとも背面側の領域が、第１折れ線を介して中底面部における第１仮想直線よりも正面側の領域である中前底面部（１０２Ａ）に対して下方に折れ曲がった状態になるとともに、左底面部における第３仮想直線よりも正面側の領域である左前底面部（１０６Ａ）における少なくとも背面側の領域が、第２折れ線を介して中前底面部（１０２Ａ）に対して下方に折れ曲がった状態になって、前底面部が後底面部に対して下方に折れ曲がった状態が維持されることを特徴とするトレー。
【請求項３】
第１接続手段が、右側面部と背面部の一方から折れ線を介して連設された糊代部であり、第１接続手段が、右側面部と背面部の他方に接着され、
第２接続手段が、左側面部と背面部の一方から折れ線を介して連設された糊代部であり、第２接続手段が、左側面部と背面部の他方に接着されていることを特徴とする請求項２に記載のトレー。
【請求項４】
中底面部の正面側の端部は、右底面部の正面側の端部と左底面部の正面側の端部よりも正面側にあることを特徴とする請求項２又は３に記載のトレー。
【請求項５】
第１接点が、第３基点の位置にあり、第２接点が、第４基点の位置にあることを特徴とする請求項２又は３又は４に記載のトレー。
【請求項６】
シート状のブランクにより形成されたトレーであって、
底面部（２００）と、右側面部（２２０）と、左側面部（２３０）と、背面部（２１０）と、正面部（２６０）とを有し、
底面部は、
互いに平行な一対の辺部で右側面側の辺部である第１辺部（２０２ａ）と左側面側の辺部である第２辺部（２０２ｃ）を有する中底面部（２０２）と、
中底面部の第１辺部から第１折れ線を介して連設された右底面部（２０４）と、
中底面部の第２辺部から第２折れ線を介して連設された左底面部（２０６）と、を有し、
右底面部は、中底面部に対して上側に傾斜し、左底面部は、中底面部に対して上側に傾斜し、
右側面部は、右底面部の右側面側の辺部である第３辺部（２０４ｃ）から折れ線を介して連設され、
左側面部は、左底面部の左側面側の辺部である第４辺部（２０６ｃ）から折れ線を介して連設され、
第１辺部と第３辺部が互いに平行に形成されるとともに、第２辺部と第４辺部は互いに平行に形成され、
第１辺部と第３辺部間の長さ（Ｌ３）と第２辺部と第４辺部間の長さ（Ｌ４）とが略同一に形成され、
背面部は、少なくとも中底面部の背面側の辺部（２０２ｂ）から折れ線を介して連設され、
右側面部と背面部とは第１接続手段（２４０）により接続され、左側面部と背面部とは第２接続手段（２５０）により接続され、右側面部と正面部とは第３接続手段（２７０）により接続され、左側面部と正面部とは第４接続手段（２８０）により接続され、
正面部は、中底面部の正面側の辺部と右底面部の正面側の辺部と左底面部の正面側の辺部から連設され、
第１辺部の正面側の端部から背面側の端部までの途中位置である第１基点（Ｐ２０ａ）と、第１基点を始点として第１辺部に直角な直線である第１仮想直線が第２辺部と接する点である第２基点（Ｐ２０ｂ）の間に第１基点と第２基点を結ぶ方向に第１折曲げ補助線（Ｃ２０２）が形成され、
第１基点を始点として第１辺部との背面側の角度（α３２）が鋭角となるように背面側に傾斜した直線である第２仮想直線が第３辺部と接する点である第３基点（Ｐ２０ｃ）と第１基点の間に第３基点と第１基点を結ぶ方向に第２折曲げ補助線（Ｃ２０４）が形成され、
第２基点を始点として第２辺部との背面側の角度（α４２）が鋭角となるように背面側に傾斜した直線である第３仮想直線が第４辺部と接する点である第４基点（Ｐ２０ｄ）と第２基点の間に第４基点と第２基点を結ぶ方向に第３折曲げ補助線（Ｃ２０６）が形成され、
第１辺部と第２仮想直線間の背面側の鋭角の角度（α３２）と第２辺部と第３仮想直線間の背面側の鋭角の角度（α４２）が略同一に形成され、
右側面部には、第３基点から右側面部の右底面部とは反対側の辺部まで第１切目線（２２４）が形成され、
左側面部には、第４基点から左側面部の左底面部とは反対側の辺部まで第２切目線（２３４）が形成され、
第１切目線と第２切目線を破断した状態で、
底面部における第１仮想直線と第２仮想直線と第３仮想直線よりも正面側の領域である前底面部（２００Ａ）を、底面部における第１仮想直線と第２仮想直線と第３仮想直線よりも背面側の領域である後底面部（２００Ｂ）に対して、第１折曲げ補助線と第２折曲げ補助線と第３折曲げ補助線を介して下方に折り曲げることにより、右底面部における第２仮想直線よりも正面側の領域である右前底面部（２０４Ａ）における少なくとも背面側の領域が、第１折れ線を介して中底面部における第１仮想直線よりも正面側の領域である中前底面部（２０２Ａ）に対して下方に折れ曲がった状態になるとともに、左底面部における第３仮想直線よりも正面側の領域である左前底面部（２０６Ａ）における少なくとも背面側の領域が、第２折れ線を介して中前底面部（２０２Ａ）に対して下方に折れ曲がった状態になって、前底面部が後底面部に対して下方に折れ曲がった状態が維持されることを特徴とするトレー。
【請求項７】
シート状のブランクにより形成されたトレーであって、
底面部（２００）と、右側面部（２２０）と、左側面部（２３０）と、背面部（２１０）と、正面部（２６０）とを有し、
底面部は、
互いに平行な一対の辺部で右側面側の辺部である第１辺部（２０２ａ）と左側面側の辺部である第２辺部（２０２ｃ）を有する中底面部（２０２）と、
中底面部の第１辺部から第１折れ線を介して連設された右底面部（２０４）と、
中底面部の第２辺部から第２折れ線を介して連設された底面部（２０６）と、を有し、
右底面部は、中底面部に対して上側に傾斜し、左底面部は、中底面部に対して上側に傾斜し、
右側面部は、底面部の右側面側の辺部である第３辺部（２０４ｃ）から折れ線を介して連設され、
左側面部は、底面部の左側面側の辺部である第４辺部（２０６ｃ）から折れ線を介して連設され、
第１辺部と第３辺部が互いに平行に形成されるとともに、第２辺部と第４辺部は互いに平行に形成され、
第１辺部と第３辺部間の長さ（Ｌ３）と第２辺部と第４辺部間の長さ（Ｌ４）とが略同一に形成され、
背面部は、少なくとも中底面部の背面側の辺部（２０２ｂ）から折れ線を介して連設され、
右側面部と背面部とは第１接続手段（２４０）により接続され、左側面部と背面部とは第２接続手段（２５０）により接続され、右側面部と正面部とは第３接続手段（２７０）により接続され、左側面部と正面部とは第４接続手段（２８０）により接続され、
正面部は、中底面部の正面側の辺部と右底面部の正面側の辺部と左底面部の正面側の辺部から連設され、
第１辺部の正面側の端部から背面側の端部までの途中位置である第１基点（Ｐ２０ａ）と、第１基点始点として第１辺部に直角な直線である第１仮想直線が第２辺部と接する点である第２基点（Ｐ２０ｂ）の間に第１基点と第２基点を結ぶ方向に第１折曲げ補助線（Ｃ２０２）が形成され、
第１基点を始点として第１辺部との背面側の角度（α３２）が鋭角となるように背面側に傾斜した直線である第２仮想直線が第３辺部と接する点である第３基点（Ｐ２０ｃ）と第１基点の間に第３基点と第１基点を結ぶ方向に第２折曲げ補助線（Ｃ２０４）が形成され、
第２基点を始点として第２辺部との背面側の角度（α４２）が鋭角となるように背面側に傾斜した直線である第３仮想直線が第４辺部と接する点である第４基点（Ｐ２０ｄ）と第２基点の間に第４基点と第２基点を結ぶ方向に第３折曲げ補助線（Ｃ２０６）が形成され、
第１辺部と第２仮想直線間の背面側の鋭角の角度（α３２）と第２辺部と第３仮想直線間の背面側の鋭角の角度（α４２）が略同一に形成され、
右側面部が、第３辺部における第３基点よりも正面側の辺部から連設された前右側面部（２２０Ａ）と、第３辺部における第３基点よりも背面側の辺部から連設された後右側面部（２２０Ｂ）とを有し、
左側面部が、第４辺部における第４基点よりも正面側の辺部から連設された前左側面部（２３０Ａ）と、第４辺部における第４基点よりも背面側の辺部から連設された後左側面部（２３０Ｂ）とを有し、
底面部における第１仮想直線と第２仮想直線と第３仮想直線よりも正面側の領域である前底面部（２００Ａ）を、底面部における第１仮想直線と第２仮想直線と第３仮想直線よりも背面側の領域である後底面部（２００Ｂ）に対して、第１折曲げ補助線と第２折曲げ補助線と第３折曲げ補助線を介して下方に折り曲げることにより、右底面部における第２仮想直線よりも正面側の領域である右前底面部（２０４Ａ）における少なくとも背面側の領域が、第１折れ線を介して中底面部における第１仮想直線よりも正面側の領域である中前底面部（２０２Ａ）に対して下方に折れ曲がった状態になるとともに、左底面部における第３仮想直線よりも正面側の領域である左前底面部（２０６Ａ）における少なくとも背面側の領域が、第２折れ線を介して中前底面部（２０２Ａ）に対して下方に折れ曲がった状態になって、前底面部が後底面部に対して下方に折れ曲がった状態が維持されることを特徴とするトレー。
【請求項８】
第１接続手段が、右側面部と背面部の一方から折れ線を介して連設された糊代部であり、第１接続手段が、右側面部と背面部の他方に接着され、
第２接続手段が、左側面部と背面部の一方から折れ線を介して連設された糊代部であり、第２接続手段が、左側面部と背面部の他方に接着され、
第３接続手段が、右側面部と正面部の一方から折れ線を介して連設された糊代部であり、第３接続手段が、右側面部と正面部の他方に接着され、
第４接続手段が、左側面部と正面部の一方から折れ線を介して連設された糊代部であり、第４接続手段が、左側面部と正面部の他方に接着されていることを特徴とする請求項６又は７に記載のトレー。
【請求項９】
背面部が、中底面部の背面側の辺部（１０２ｂ、２０２ｂ）から折れ線を介して連設された中背面部（１１２、２１２）と、右底面部の背面側の辺部（１０４ｂ、２０４ｂ）から折れ線を介して連設された右背面部（１１４、２１４）と、左底面部の背面側の辺部（１０６ｂ、２０６ｂ）から折れ線を介して連設された左背面部（１１６、２１６）と、を有し、
右底面部の背面側の辺部と第１辺部とがなす角度（α１１、α３１）と左底面部の背面側の辺部と第２辺部とがなす角度（α２１、α４１）が鈍角であり、
右背面部と左背面部が、中背面部に対して背面側に折れ曲がっていることを特徴とする請求項２又は３又は４又は５又は６又は７又は８に記載のトレー。
【請求項１０】
第１折曲げ補助線と第２折曲げ補助線と第３折曲げ補助線が、罫線により形成されていることを特徴とする請求項１又は２又は３又は４又は５又は６又は７又は８又は９に記載のトレー。
【請求項１１】
第１折曲げ補助線を構成する罫線が、第１基点から第２基点まで連続して形成され、第２折曲げ補助線を構成する罫線が、第１基点から第３基点まで連続して形成され、第３折曲げ補助線を構成する第２基点から第４基点まで連続して形成されていることを特徴とする請求項１０に記載のトレー。
【発明の詳細な説明】
【技術分野】
【０００１】
本発明は、紙製のトレーに関するものであり、特に、食品を保持して食するのに適した紙製トレーに関するものである。
【背景技術】
【０００２】
従来より、食品を食するのに用いる紙製のトレーが在る。例えば、下記特許文献１に開示された食品トレーにおいては、加工線Ｌ２１が、左側壁３と底壁１と右側壁４とに連続的に形成され、使用する際には、左側壁と右側壁の加工線に沿って、左側壁と右側壁を破断するとともに、底壁の加工線よりも前側壁４側の領域（第１領域部１１）を底壁の加工線を介して底壁の外側面側（トレーの下方）に折り曲げることにより、トレーに収納された食品の一部をトレーからはみ出させて、食品を食べ易くすることができる（図１、図９を参照）。
【０００３】
また、下記特許文献２に開示された紙製トレーにおいては、折り罫線６が基底部４の左右方向に形成され、ノッチ１１が、左側壁部３の上端と右側壁部３の上端とにそれぞれ形成され、ミシン線５が、左側壁部のノッチと折り罫線の左側壁部側の端部間と、右側壁部のノッチと折り罫線の右側壁部側の端部間とにそれぞれ形成されており、このトレーは、焼き菓子を焼成するためのものであるが、特許文献１のものと同様に使用することもでき、ミシン線に沿って左側壁部と右側壁部を破断するとともに、基底部の折り罫線よりも前側壁部側の領域を折り罫線を介してトレーの下方に折り曲げれば、トレーに収納された食品の一部をトレーからはみ出させて、食品を食べ易くすることができる（図１、図２を参照）。
【先行技術文献】
【特許文献】
【０００４】
【特許文献１】特開２０１５−１２８９９７号公報
【特許文献２】実用新案登録第３１９９４９０号公報
【発明の概要】
【発明が解決しようとする課題】
【０００５】
しかし、特許文献１のトレーにおいては、第１領域部を加工線を介して第２領域部に対して下方に折り曲げた場合に、底壁１における加工線は単に直線状となっているので、第１領域部を第２領域部に対して下方に折り曲げた状態が維持されず、第１領域部を第２領域部に対して下方に折り曲げても第１領域部がもとの状態に戻ってしまったり、トレーを上下方向に上下動させると、第１領域部が加工線を介して揺動してしまい、結果として、第１領域部がトレーに載せられた食品を食べる際の妨げとなっていて。
【０００６】
特許文献２の紙製トレーにおいても、折り罫線６を介した一方を他方に対して下方に折り曲げた場合に、折り罫線６は単に直線状となっているので、一方を他方に対して下方に折り曲げた状態が維持されず、紙製トレーに載せられた食品を食べる際の妨げとなっていた。
【０００７】
そこで、本発明は、底面部を折曲げ線を介して折り曲げることができるトレーにおいて、折曲げ線を介した一方を他方に対して折り曲げた状態を維持することができ、折り曲げた該一方がトレーに載せられた食品を食べる際の妨げとならないトレーを提供することを目的とするものである。
【課題を解決するための手段】
【０００８】
本発明は上記問題点を解決するために創作されたものであって、第１には、シート状のブランクにより形成されたトレーであって、トレーが底面部（１００、２００）を有し、底面部は、互いに平行な一対の辺部で右側面側の辺部である第１辺部（１０２ａ、２０２ａ）と左側面側の辺部である第２辺部（１０２ｃ、２０２ｃ）を有する中底面部（１０２、２０２）と、中底面部の第１辺部から第１折れ線を介して連設されるとともに、第１辺部の反対側である右側面側に第３辺部（１０４ｃ、２０４ｃ）を有する右底面部（１０４、２０４）と、中底面部の第２辺部から第２折れ線を介して連設されるとともに、第２辺部の反対側である左側面側に第４辺部（１０６ｃ、２０６ｃ）を有する左底面部（１０６、２０６）と、を有し、右底面部は、中底面部に対して上側に傾斜し、左底面部は、中底面部に対して上側に傾斜し、第１辺部と第３辺部が互いに平行に形成されるとともに、第２辺部と第４辺部は互いに平行に形成され、第１辺部と第３辺部間の長さ（Ｌ１、Ｌ３）と第２辺部と第４辺部間の長さ（Ｌ２、Ｌ４）とが略同一に形成され、第１辺部の正面側の端部から背面側の端部までの途中位置である第１基点（Ｐ１０ａ、Ｐ２０ａ）と、第１基点を始点として第１辺部に直角な直線である第１仮想直線が第２辺部と接する点である第２基点（Ｐ１０ｂ、Ｐ２０ｂ）の間に第１基点と第２基点を結ぶ方向に第１折曲げ補助線（Ｃ１０２、Ｃ２０２）が形成され、第１基点を始点として第１辺部との背面側の角度（α１２、α３２）が鋭角となるように背面側に傾斜した直線である第２仮想直線が第３辺部と接する点である第３基点（Ｐ１０ｃ、Ｐ２０ｃ）と第１基点の間に第３基点と第１基点を結ぶ方向に第２折曲げ補助線（Ｃ１０４、Ｃ２０４）が形成され、第２基点を始点として第２辺部との背面側の角度（α２２、α４２）が鋭角となるように背面側に傾斜した直線である第３仮想直線が第４辺部と接する点である第４基点（Ｐ１０ｄ、Ｐ２０ｄ）と第２基点の間に第４基点と第２基点を結ぶ方向に第３折曲げ補助線（Ｃ１０６、Ｃ２０６）が形成され、第１辺部と第２仮想直線間の背面側の鋭角の角度（α１２、α３２）と第２辺部と第３仮想直線間の背面側の鋭角の角度（α２２、α４２）が略同一に形成され、底面部における第１仮想直線と第２仮想直線と第３仮想直線よりも正面側の領域である前底面部（１００Ａ、２００Ａ）を、底面部における第１仮想直線と第２仮想直線と第３仮想直線よりも背面側の領域である後底面部（１００Ｂ、２００Ｂ）に対して、第１折曲げ補助線と第２折曲げ補助線と第３折曲げ補助線を介して下方に折り曲げることにより、右底面部における第２仮想直線よりも正面側の領域である右前底面部（１０４Ａ、２０４Ａ）における少なくとも背面側の領域が（「右前底面部（１０４Ａ、２０４Ａ）が」としてもよい）、第１折れ線を介して中底面部における第１仮想直線よりも正面側の領域である中前底面部（１０２Ａ、２０２Ａ）に対して下方に折れ曲がった状態になるとともに、左底面部における第３仮想直線よりも正面側の領域である左前底面部（１０６Ａ、２０６Ａ）における少なくとも背面側の領域が（「左前底面部（１０６Ａ、２０６Ａ）が」としてもよい）、第２��れ線を介して中前底面部（１０２Ａ、２０２Ａ）に対して下方に折れ曲がった状態になって、前底面部が後底面部に対して下方に折れ曲がった状態が維持されることを特徴とする。
【０００９】
第１の構成のトレーにおいては、前底面部を後底面部に対して、第１折曲げ補助線と第２折曲げ補助線と第３折曲げ補助線（第１〜第３折曲げ補助線）を介して下方に折り曲げることにより、右前底面部と左前底面部が、中前底面部に対して下側に折れ曲がった状態となって、前底面部が後底面部に対して下方に折れ曲がった状態が維持されるので、トレーに載せた食品を食べる場合に、前底面部が邪魔になることがない。
【００１０】
また、右底面部と左底面部（特に、第３辺部と第４辺部）を内側に押すことにより、前底面部の後底面部に対する折曲げ角度を大きくして、前底面部を後底面部に対して下方に回動させることができるので、食品において、後底面部の正面側の端部から正面側に突出した部分を食べる場合に、前底面部を下方に回動させて前底面部が邪魔にならないようにすることができる。
【００１１】
なお、上記第１の構成において、右底面部の中底面部に対する傾斜角度（α１６）と左底面部の中底面部に対する傾斜角度（α２６）は略同一（同一としてもよい）に形成されているものとするのが好ましい。
【００１２】
また、第２には、シート状のブランクにより形成されたトレーであって、底面部（１００）と、右側面部（１２０）と、左側面部（１３０）と、背面部（１１０）とを有し、底面部は、互いに平行な一対の辺部で右側面側の辺部である第１辺部（１０２ａ）と左側面側の辺部である第２辺部（１０２ｃ）を有する中底面部（１０２）と、中底面部の第１辺部から第１折れ線を介して連設された右底面部（１０４）と、中底面部の第２辺部から第２折れ線を介して連設された左底面部（１０６）と、を有し、右底面部は、中底面部に対して上側に傾斜し、左底面部は、中底面部に対して上側に傾斜し、右側面部は、右底面部の右側面側の辺部である第３辺部（１０４ｃ）から折れ線を介して連設され、左側面部は、左底面部の左側面側の辺部である第４辺部（１０６ｃ）から折れ線を介して連設され、第１辺部と第３辺部が互いに平行に形成されるとともに、第２辺部と第４辺部は互いに平行に形成され、第１辺部と第３辺部間の長さ（Ｌ１）と第２辺部と第４辺部間の長さ（Ｌ２）とが略同一（同一としてもよい）に形成され、背面部は、少なくとも中底面部の背面側の辺部（１０２ｂ）から折れ線を介して連設され、右側面部と背面部とは第１接続手段（１４０）により接続され、左側面部と背面部とは第２接続手段（１５０）により接続され（「右側面部の背面側の端部と背面部の右側面側の端部とは第１接続手段（１４０）により接続され、左側面部の背面側の端部と背面部の左側面側の端部とは第２接続手段（１５０）により接続され」としてもよい）、第１辺部の正面側の端部から背面側の端部までの途中位置である第１基点（Ｐ１０ａ）と、第１基点を始点として第１辺部に直角な直線である第１仮想直線が第２辺部と接する点である第２基点（Ｐ１０ｂ）の間に第１基点と第２基点を結ぶ方向に第１折曲げ補助線（Ｃ１０２）が形成され、第１基点を始点として第１辺部との背面側の角度（α１２）が鋭角となるように背面側に傾斜した直線である第２仮想直線が第３辺部と接する点である第３基点（Ｐ１０ｃ）と第１基点の間に第３基点と第１基点を結ぶ方向に第２折曲げ補助線（Ｃ１０４）が形成され、第２基点を始点として第２辺部との背面側の角度（α２２）が鋭角となるように背面側に傾斜した直線である第３仮想直線が第４辺部と接する点である第４基点（Ｐ１０ｄ）と第２基点の間に第４基点と第２基点を結ぶ方向に第３折曲げ補助線（Ｃ１０６）が形成され、第１辺部と第２仮想直線間の背面側の鋭角の角度（α１２）と第２辺部と第３仮想直線間の背面側の鋭角の角度（α２２）が略同一（同一としてもよい）に形成され、右側面部の正面側の辺部が第３辺部と接する位置である第１接点は、第３基点の位置又は第３基点よりも背面側の位置にあり、左側面部の正面側の辺部が第４辺部と接する位置である第２接点は、第４基点の位置又は第４基点よりも背面側の位置にあり、底面部における第１仮想直線と第２仮想直線と第３仮想直線よりも正面側の領域である前底面部（１００Ａ）を、底面部における第１仮想直線と第２仮想直線と第３仮想直線よりも背面側の領域である後底面部（１００Ｂ）に対して、第１折曲げ補助線と第２折曲げ補助線と第３折曲げ補助線を介して下方に折り曲げることに���り、右底面部における第２仮想直線よりも正面側の領域である右前底面部（１０４Ａ）における少なくとも背面側の領域（「右前底面部（１０４Ａ）が」としてもよい）が、第１折れ線を介して中底面部における第１仮想直線よりも正面側の領域である中前底面部（１０２Ａ）に対して下方に折れ曲がった状態になるとともに、左底面部における第３仮想直線よりも正面側の領域である左前底面部（１０６Ａ）における少なくとも背面側の領域（「左前底面部（１０６Ａ）が」としてもよい）が、第２折れ線を介して中前底面部（１０２Ａ）に対して下方に折れ曲がった状態になって、前底面部が後底面部に対して下方に折れ曲がった状態が維持されることを特徴とする。
【００１３】
第２の構成のトレーにおいては、前底面部を後底面部に対して、第１折曲げ補助線と第２折曲げ補助線と第３折曲げ補助線（第１〜第３折曲げ補助線）を介して下方に折り曲げることにより、右前底面部と左前底面部が、中前底面部に対して下側に折れ曲がった状態となって、前底面部が後底面部に対して下方に折れ曲がった状態が維持されるので、トレーに載せた食品を食べる場合に、前底面部が邪魔になることがない。
【００１４】
また、右側面部と左側面部を内側に押すことにより、前底面部の後底面部に対する折曲げ角度を大きくして、前底面部を後底面部に対して下方に回動させることができるので、食品において、後底面部の正面側の端部から正面側に突出した部分を食べる場合に、前底面部を下方に回動させて前底面部が邪魔にならないようにすることができる。
【００１５】
なお、上記第２の構成において、右底面部の中底面部に対する傾斜角度（α１６）と左底面部の中底面部に対する傾斜角度（α２６）は略同一（同一としてもよい）に形成されているものとするのが好ましい。
【００１６】
また、 第３には、上記第２の構成において、第１接続手段が、右側面部と背面部の一方から折れ線を介して連設された糊代部であり、第１接続手段が、右側面部と背面部の他方に接着され、第２接続手段が、左側面部と背面部の一方から折れ線を介して連設された糊代部であり、第２接続手段が、左側面部と背面部の他方に接着されていることを特徴とする。
【００１７】
また、第４には、上記第２又は第３の構成において、中底面部の正面側の端部は、右底面部の正面側の端部と左底面部の正面側の端部よりも正面側にあることを特徴とする。よって、前底面部を後底面部に対して円滑に折り曲げることができ、また、左右どちらの手でも前底面部を後底面部に対して折り曲げやすくできる。なお、上記第３の構成を「中底面部の正面側の領域は、右底面部の正面側の端部と左底面部の正面側の端部よりも正面側に突出していることを特徴とする」としてもよい。
【００１８】
また、第５には、上記第２から第４までのいずれかの構成において、第１接点が、第３基点の位置にあり、第２接点が、第４基点の位置にあることを特徴とする。よって、前底面部を第１折曲げ補助線と第２折曲げ補助線と第３折曲げ補助線を介して正確に折り曲げることができ、少なくとも前底面部が第１〜第３折曲げ補助線よりも背面側の位置で折れ曲がることがなく、前底面部をより正確に第１〜第３折曲げ補助線の位置で折り曲げることができる。
【００１９】
なお、上記第２から第４までのいずれかの構成において、第１接点と第２接点は、前後方向において略同一位置（同一位置としてもよい）にあることを特徴とするとしてもよい。これにより、前底面部を後底面部に対して折り曲げた際に、第１折曲げ補助線と第２折曲げ補助線と第３折曲げ補助線の位置で折り曲げやすくできる。
【００２０】
また、第６には、シート状のブランクにより形成されたトレーであって、底面部（２００）と、右側面部（２２０）と、左側面部（２３０）と、背面部（２１０）と、正面部（２６０）とを有し、底面部は、互いに平行な一対の辺部で右側面側の辺部である第１辺部（２０２ａ）と左側面側の辺部である第２辺部（２０２ｃ）を有する中底面部（２０２）と、中底面部の第１辺部から第１折れ線を介して連設された右底面部（２０４）と、中底面部の第２辺部から第２折れ線を介して連設された左底面部（２０６）と、を有し、右底面部は、中底面部に対して上側に傾斜し、左底面部は、中底面部に対して上側に傾斜し、右側面部は、右底面部の右側面側の辺部である第３辺部（２０４ｃ）から折れ線を介して連設され、左側面部は、左底面部の左側面側の辺部である第４辺部（２０６ｃ）から折れ線を介して連設され、第１辺部と第３辺部が互いに平行に形成されるとともに、第２辺部と第４辺部は互いに平行に形成され、第１辺部と第３辺部間の長さ（Ｌ３）と第２辺部と第４辺部間の長さ（Ｌ４）とが略同一（同一としてもよい）に形成され、背面部は、少なくとも中底面部の背面側の辺部（２０２ｂ）から折れ線を介して連設され、右側面部と背面部とは第１接続手段（２４０）により接続され、左側面部と背面部とは第２接続手段（２５０）により接続され、右側面部と正面部とは第３接続手段（２７０）により接続され、左側面部と正面部とは第４接続手段（２８０）により接続され（「右側面部の背面側の端部と背面部の右側面側の端部とは第１接続手段（２４０）により接続され、左側面部の背面側の端部と背面部の左側面側の端部とは第２接続手段（２５０）により接続され、右側面部の正面側の端部と正面部の右側面側の端部とは第３接続手段（２７０）により接続され、左側面部の正面側の端部と正面部の左側面側の端部とは第４接続手段（２８０）により接続され」としてもよい）、正面部は、中底面部の正面側の辺部と右底面部の正面側の辺部と左底面部の正面側の辺部から連設され、第１辺部の正面側の端部から背面側の端部までの途中位置である第１基点（Ｐ２０ａ）と、第１基点を始点として第１辺部に直角な直線である第１仮想直線が第２辺部と接する点である第２基点（Ｐ２０ｂ）の間に第１基点と第２基点を結ぶ方向に第１折曲げ補助線（Ｃ２０２）が形成され、第１基点を始点として第１辺部との背面側の角度（α３２）が鋭角となるように背面側に傾斜した直線である第２仮想直線が第３辺部と接する点である第３基点（Ｐ２０ｃ）と第１基点の間に第３基点と第１基点を結ぶ方向に第２折曲げ補助線（Ｃ２０４）が形成され、第２基点を始点として第２辺部との背面側の角度（α４２）が鋭角となるように背面側に傾斜した直線である第３仮想直線が第４辺部と接する点である第４基点（Ｐ２０ｄ）と第２基点の間に第４基点と第２基点を結ぶ方向に第３折曲げ補助線（Ｃ２０６）が形成され、第１辺部と第２仮想直線間の背面側の鋭角の角度（α３２）と第２辺部と第３仮想直線間の背面側の鋭角の角度（α４２）が略同一（同一としてもよい）に形成され、右側面部には、第３基点から右側面部の右底面部とは反対側の辺部まで第１切目線（２２４）が形成され、左側面部には、第４���点から左側面部の左底面部とは反対側の辺部まで第２切目線（２３４）が形成され、第１切目線と第２切目線を破断した状態で、底面部における第１仮想直線と第２仮想直線と第３仮想直線よりも正面側の領域である前底面部（２００Ａ）を、底面部における第１仮想直線と第２仮想直線と第３仮想直線よりも背面側の領域である後底面部（２００Ｂ）に対して、第１折曲げ補助線と第２折曲げ補助線と第３折曲げ補助線を介して下方に折り曲げることにより、右底面部における第２仮想直線よりも正面側の領域である右前底面部（２０４Ａ）における少なくとも背面側の領域が（「右前底面部（２０４Ａ）が」としてもよい）が、第１折れ線を介して中底面部における第１仮想直線よりも正面側の領域である中前底面部（２０２Ａ）に対して下方に折れ曲がった状態になるとともに、左底面部における第３仮想直線よりも正面側の領域である左前底面部（２０６Ａ）における少なくとも背面側の領域が（「左前底面部（２０６Ａ）が」としてもよい）が、第２折れ線を介して中前底面部（２０２Ａ）に対して下方に折れ曲がった状態になって、前底面部が後底面部に対して下方に折れ曲がった状態が維持されることを特徴とする。
【００２１】
第６の構成のトレーにおいては、前底面部を後底面部に対して、第１折曲げ補助線と第２折曲げ補助線と第３折曲げ補助線（第１〜第３折曲げ補助線）を介して下方に折り曲げることにより、右前底面部と左前底面部が、中前底面部に対して下側に折れ曲がった状態となって、前底面部が後底面部に対して下方に折れ曲がった状態が維持されるので、トレーに載せた食品を食べる場合に、前底面部が邪魔になることがない。
【００２２】
また、右側面部と左側面部を内側に押すことにより、前底面部の後底面部に対する折曲げ角度を大きくして、前底面部を後底面部に対して下方に回動させることができるので、食品において、後底面部の正面側の端部から正面側に突出した部分を食べる場合に、前底面部を下方に回動させて前底面部が邪魔にならないようにすることができる。
【００２３】
また、右側面部には第１切目線が形成され、左側面部には第２切目線が形成されており、第１切目線と第２切目線を破断しなければ前底面部が後底面部に対して折れ曲がることがないので、不用意に前底面部が後底面部に対して折れ曲がることがない。
【００２４】
なお、上記第６の構成において、右底面部の中底面部に対する傾斜角度（α１６）と左底面部の中底面部に対する傾斜角度（α２６）は略同一（同一としてもよい）に形成されているものとするのが好ましい。
【００２５】
また、上記第６の構成において、「正面部は、中底面部の正面側の辺部と右底面部の正面側の辺部と左底面部の正面側の辺部から連設され、」を「正面部は、中底面部の正面側の辺部と右底面部の正面側の辺部と左底面部の正面側の辺部から直線状の折れ線（「右底面部の正面側の辺部の右側面側の端部から左底面部の正面側の辺部の左側面側の端部まで１本の直線状に形成された折れ線」としてもよい）（Ｃ２００ａ）を介して連設され、正面部は、該直線状の折れ線に沿った直線状の辺部（２６０ａ）を有し、」としてもよい。
【００２６】
また、第７には、シート状のブランクにより形成されたトレーであって、底面部（２００）と、右側面部（２２０）と、左側面部（２３０）と、背面部（２１０）と、正面部（２６０）とを有し、底面部は、互いに平行な一対の辺部で右側面側の辺部である第１辺部（２０２ａ）と左側面側の辺部である第２辺部（２０２ｃ）を有する中底面部（２０２）と、中底面部の第１辺部から第１折れ線を介して連設された右底面部（２０４）と、中底面部の第２辺部から第２折れ線を介して連設された底面部（２０６）と、を有し、右底面部は、中底面部に対して上側に傾斜し、左底面部は、中底面部に対して上側に傾斜し、右側面部は、底面部の右側面側の辺部である第３辺部（２０４ｃ）から折れ線を介して連設され、左側面部は、底面部の左側面側の辺部である第４辺部（２０６ｃ）から折れ線を介して連設され、第１辺部と第３辺部が互いに平行に形成されるとともに、第２辺部と第４辺部は互いに平行に形成され、第１辺部と第３辺部間の長さ（Ｌ３）と第２辺部と第４辺部間の長さ（Ｌ４）とが略同一（同一としてもよい）に形成され、背面部は、少なくとも中底面部の背面側の辺部（２０２ｂ）から折れ線を介して連設され、右側面部と背面部とは第１接続手段（２４０）により接続され、左側面部と背面部とは第２接続手段（２５０）により接続され、右側面部と正面部とは第３接続手段（２７０）により接続され、左側面部と正面部とは第４接続手段（２８０）により接続され（「右側面部の背面側の端部と背面部の右側面側の端部とは第１接続手段（２４０）により接続され、左側面部の背面側の端部と背面部の左側面側の端部とは第２接続手段（２５０）により接続され、右側面部の正面側の端部と正面部の右側面側の端部とは第３接続手段（２７０）により接続され、左側面部の正面側の端部と正面部の左側面側の端部とは第４接続手段（２８０）により接続され」としてもよい）、正面部は、中底面部の正面側の辺部と右底面部の正面側の辺部と左底面部の正面側の辺部から連設され、第１辺部の正面側の端部から背面側の端部までの途中位置である第１基点（Ｐ２０ａ）と、第１基点始点として第１辺部に直角な直線である第１仮想直線が第２辺部と接する点である第２基点（Ｐ２０ｂ）の間に第１基点と第２基点を結ぶ方向に第１折曲げ補助線（Ｃ２０２）が形成され、第１基点を始点として第１辺部との背面側の角度（α３２）が鋭角となるように背面側に傾斜した直線である第２仮想直線が第３辺部と接する点である第３基点（Ｐ２０ｃ）と第１基点の間に第３基点と第１基点を結ぶ方向に第２折曲げ補助線（Ｃ２０４）が形成され、第２基点を始点として第２辺部との背面側の角度（α４２）が鋭角となるように背面側に傾斜した直線である第３仮想直線が第４辺部と接する点である第４基点（Ｐ２０ｄ）と第２基点の間に第４基点と第２基点を結ぶ方向に第３折曲げ補助線（Ｃ２０６）が形成され、第１辺部と第２仮想直線間の背面側の鋭角の角度（α３２）と第２辺部と第３仮想直線間の背面側の鋭角の角度（α４２）が略同一（同一としてもよい）に形成され、右側面部が、第３辺部における第３基点よりも正面側の辺部から連設された前右側面部（２２０Ａ）と、第３辺部における第３基点より���背面側の辺部から連設された後右側面部（２２０Ｂ）とを有し、左側面部が、第４辺部における第４基点よりも正面側の辺部から連設された前左側面部（２３０Ａ）と、第４辺部における第４基点よりも背面側の辺部から連設された後左側面部（２３０Ｂ）とを有し、底面部における第１仮想直線と第２仮想直線と第３仮想直線よりも正面側の領域である前底面部（２００Ａ）を、底面部における第１仮想直線と第２仮想直線と第３仮想直線よりも背面側の領域である後底面部（２００Ｂ）に対して、第１折曲げ補助線と第２折曲げ補助線と第３折曲げ補助線を介して下方に折り曲げることにより、右底面部における第２仮想直線よりも正面側の領域である右前底面部（２０４Ａ）における少なくとも背面側の領域が（「右前底面部（２０４Ａ）が」としてもよい）、第１折れ線を介して中底面部における第１仮想直線よりも正面側の領域である中前底面部（２０２Ａ）に対して下方に折れ曲がった状態になるとともに、左底面部における第３仮想直線よりも正面側の領域である左前底面部（２０６Ａ）における少なくとも背面側の領域が（「左前底面部（２０６Ａ）が」としてもよい）、第２折れ線を介して中前底面部（２０２Ａ）に対して下方に折れ曲がった状態になって、前底面部が後底面部に対して下方に折れ曲がった状態が維持されることを特徴とする。
【００２７】
第７の構成のトレーにおいては、前底面部を後底面部に対して、第１折曲げ補助線と第２折曲げ補助線と第３折曲げ補助線（第１〜第３折曲げ補助線）を介して下方に折り曲げることにより、右前底面部と左前底面部が、中前底面部に対して下側に折れ曲がった状態となって、前底面部が後底面部に対して下方に折れ曲がった状態が維持されるので、トレーに載せた食品を食べる場合に、前底面部が邪魔になることがない。
【００２８】
また、右側面部と左側面部を内側に押すことにより、前底面部の後底面部に対する折曲げ角度を大きくして、前底面部を後底面部に対して下方に回動させることができるので、食品において、後底面部の正面側の端部から正面側に突出した部分を食べる場合に、前底面部を下方に回動させて前底面部が邪魔にならないようにすることができる。
【００２９】
なお、上記第７の構成において、右底面部の中底面部に対する傾斜角度（α３６）と左底面部の中底面部に対する傾斜角度（α４６）は略同一（同一としてもよい）に形成されているとするのが好ましい。
【００３０】
また、上記第７の構成において、「正面部は、中底面部の正面側の辺部と右底面部の正面側の辺部と左底面部の正面側の辺部から連設され、」を「正面部は、中底面部の正面側の辺部と右底面部の正面側の辺部と左底面部の正面側の辺部から直線状の折れ線（「右底面部の正面側の辺部の右側面側の端部から左底面部の正面側の辺部の左側面側の端部まで１本の直線状に形成された折れ線」としてもよい）（Ｃ２００ａ）を介して連設され、正面部は、該直線状の折れ線に沿った直線状の辺部（２６０ａ）を有し、」としてもよい。
【００３１】
また、第８には、上記第６又は第７の構成において、第１接続手段が、右側面部と背面部の一方から折れ線を介して連設された糊代部であり、第１接続手段が、右側面部と背面部の他方に接着され、 第２接続手段が、左側面部と背面部の一方から折れ線を介して連設された糊代部であり、第２接続手段が、左側面部と背面部の他方に接着され、第３接続手段が、右側面部と正面部の一方から折れ線を介して連設された糊代部であり、第３接続手段が、右側面部と正面部の他方に接着され、第４接続手段が、左側面部と正面部の一方から折れ線を介して連設された糊代部であり、第４接続手段が、左側面部と正面部の他方に接着されていることを特徴とする。
【００３２】
また、第９には、上記第２から第８までのいずれかの構成において、背面部が、中底面部の背面側の辺部（１０２ｂ、２０２ｂ）から折れ線を介して連設された中背面部（１１２、２１２）と、右底面部の背面側の辺部（１０４ｂ、２０４ｂ）から折れ線を介して連設された右背面部（１１４、２１４）と、左底面部の背面側の辺部（１０６ｂ、２０６ｂ）から折れ線を介して連設された左背面部（１１６、２１６）と、を有し、右底面部の背面側の辺部と第３辺部とがなす角度（α１１、α３１）と左底面部の背面側の辺部と第４辺部とがなす角度（α２１、α４１）が鈍角であり、右背面部と左背面部が、中背面部に対して背面側に折れ曲がっていることを特徴とする。
【００３３】
よって、右背面部と左背面部とが中背面部に対して背面側に折れ曲がっていて、背面部が略凹状に窪んでいるので、トレーを保持する際に、背面部に指を接する状態とするのが容易となり、より安定した状態でトレーを保持できる。また、中底面部の背面側の辺部と右底面部の背面側の辺部と左底面部の背面側の辺部は、背面部と折れ線を介して連設されているので、底面部と背面部間に隙間が形成されず、液状物が底面から落ちてしまうことがない。
【００３４】
また、第１０には、上記第１から第９までのいずれかの構成において、第１折曲げ補助線と第２折曲げ補助線と第３折曲げ補助線が、罫線により形成されていることを特徴とする。
【００３５】
また、第１１には、上記第１０の構成において、第１折曲げ補助線と第２折曲げ補助線と第３折曲げ補助線が、罫線により形成されていることを特徴とする。
【発明の効果】
【００３６】
本発明に基づくトレーによれば、前底面部を後底面部に対して、第１折曲げ補助線と第２折曲げ補助線と第３折曲げ補助線（第１〜第３折曲げ補助線）を介して下方に折り曲げることにより、右前底面部と左前底面部が、中前底面部に対して下側に折れ曲がった状態となって、前底面部が後底面部に対して下方に折れ曲がった状態が維持されるので、トレーに載せた食品を食べる場合に、前底面部が邪魔になることがない。
【００３７】
また、右側面部と左側面部を内側に押すことにより、前底面部の後底面部に対する折曲げ角度を大きくして、前底面部を後底面部に対して下方に回動させることができるので、食品において、後底面部の正面側の端部から正面側に突出した部分を食べる場合に、前底面部を下方に回動させて前底面部が邪魔にならないようにすることができる。
【図面の簡単な説明】
【００３８】
【図１】実施例１のトレーの前方斜視図である。
【図２】実施例１のトレーの後方斜視図である。
【図３】実施例１のトレーの展開図である。
【図４】図３の要部拡大図である。
【図５】図３の要部拡大図である。
【図６】実施例１のトレーの前方領域部を折り曲げた状態を示す前方斜視図である。
【図７】図６のトレーの平面図である。
【図８】図７におけるＡ−Ａ端面図である。
【図９】図７におけるＢ−Ｂ端面図である。
【図１０】実施例１のトレーの使用状態を示す前方斜視図である。
【図１１】実施例１のトレーの使用状態を示す前方斜視図である。
【図１２】実施例１のトレーの使用状態を示す前方斜視図である。
【図１３】実施例１のトレーの使用状態を示す前方斜視図である。
【図１４】実施例１のトレーの使用状態を模式的に示す説明図である。
【図１５】実施例２のトレーの前方斜視図である。
【図１６】実施例２のトレーの後方斜視図である。
【図１７】実施例２のトレーの展開図である。
【図１８】図１７の要部拡大図である。
【図１９】図１７の要部拡大図である。
【図２０】実施例２のトレーの前方領域部を折り曲げた状態を示す前方斜視図である。
【図２１】図２０のトレーの平面図である。
【図２２】図２１におけるＣ−Ｃ端面図である。
【図２３】図２１におけるＤ−Ｄ端面図である。
【図２４】実施例２のトレーの使用状態を示す前方斜視図である。
【図２５】実施例２のトレーの使用状態を示す前方斜視図である。
【図２６】実施例２のトレーの使用状態を示す前方斜視図である。
【図２７】実施例２のトレーの使用状態を示す前方斜視図である。
【図２８】実施例２のトレーの使用状態を模式的に示す説明図である。
【図２９】実施例２のトレーの他の例を示す展開図である。
【図３０】実施例１及び実施例２のトレーの他の例を示す要部展開図である。
【発明を実施するための形態】
【００３９】
本発明においては、底面部を折曲げ線を介して折り曲げることができるトレーにおいて、折曲げ線を介した一方を他方に対して折り曲げた状態を維持することができ、折り曲げた該一方がトレーに載せられた食品を食べる際の妨げとならないトレーを提供するという目的を以下のようにして実現した。
【実施例１】
【００４０】
実施例１のトレー５−１は、図１〜図６に示すように構成され、底面部１００と、底面部１００の背面側の辺部から折れ線を介して連設された背面部１１０と、底面部１００の右側面側の辺部から折れ線を介して連設された右側面部１２０と、底面部１００の左側面側の辺部から折れ線を介して連設された左側面部１３０と、右側面部１２０の背面側の辺部から折れ線を介して連設された糊代部１４０と、左側面部１３０の背面側の辺部から折れ線を介して連設された糊代部１５０とを有している。トレー５−１は、全体に１枚のシート状のブランク（具体的には、段ボール製（例えば、薄型段ボール製）のブランクであり、厚紙製のブランク等の他の紙製のブランクでもよい）により形成されている。つまり、トレー５−１は、段ボール材（特に、両面段ボール材）等の紙製のトレーである。段ボールにおける断面略波形形状の中芯の段の方向は、図３における円内に示す方向となっていて、辺部１０２ａや辺部１０２ｃと平行となっている。
【００４１】
ここで、底面部１００は、中底面部１０２と、中底面部１０２の右側面側の辺部１０２ａから折れ線Ｃ１０２ａを介して連設された右底面部１０４と、中底面部１０２の左側面側の辺部１０２ｃから折れ線Ｃ１０２ｃを介して連設された左底面部１０６とを有している。
【００４２】
また、中底面部１０２は、長方形状の一方の短辺部から円弧状部を連設した形状を呈している。つまり、中底面部１０２は、前後方向に直線状に延びた右側面側の辺部（第１辺部）１０２ａと、辺部１０２ａの背面側の端部から左側面側に連設され、辺部１０２ａとなす角部の角度（内側の角度）が直角の直線状の辺部１０２ｂと、辺部１０２ｂの辺部１０２ａ側とは反対側の端部から連設され、辺部１０２ａと互いに平行（略平行としてもよい）に相対する直線状の辺部（第２辺部）１０２ｃと、辺部１０２ｃの辺部１０２ｂ側とは反対側の端部と辺部１０２ａの正面側の端部間に形成され外側に湾曲した円弧状の辺部１０２ｄとを有しており、中底面部１０２は、辺部１０２ａ〜辺部１０２ｄに囲まれた形状をしている。
【００４３】
また、中底面部１０２においては、罫線（第１罫線）（第１折曲げ補助線）Ｃ１０２が、折れ線Ｃ１０２ａ上の基点Ｐ１０ａ（第１基点）と折れ線Ｃ１０２ｃ上の基点Ｐ１０ｂ（第２基点）との間に直線状に形成されており、罫線Ｃ１０２は、基点Ｐ１０ａから基点Ｐ１０ｂまで連続して形成されている。基点Ｐ１０ａは、折れ線Ｃ１０２ａの前端から後端までの途中位置に設けられており、基点Ｐ１０ｂは、基点Ｐ１０ａを通り折れ線Ｃ１０２ａに対して垂直（略垂直としてもよい）な直線が折れ線Ｃ１０２ｃに交わる交点上に設けられている。つまり、罫線Ｃ１０２は、辺部１０２ａ及び辺部１０２ｃに対して垂直（略垂直としてもよい）で、辺部１０２ｂに対して平行（略平行としてもよい）に対向している。
【００４４】
ここで、基点Ｐ１０ａは、辺部１０２ａの正面側の端部から背面側の端部までの途中位置にあり、また、基点Ｐ１０ｂは、基点Ｐ１０ａを始点として辺部１０２ａに直角な仮想直線（第１仮想直線）が辺部１０２ｃと接する点といえる。
【００４５】
また、右底面部１０４は、台形状の一方の脚部が切り欠かれた形状を呈している。つまり、右底面部１０４は、折れ線Ｃ１０２ａに沿った直線状の辺部１０４ａと、辺部１０４ａの背面側の端部（折れ線Ｃ１０２ａと折れ線Ｃ１０２ｂが接する点）から右側面側に連設され、辺部１０４ａとなす角部の角度（内側の角度）α１１が鈍角の直線状の辺部１０４ｂと、辺部１０４ｂの辺部１０４ａ側とは反対側の端部から連設され、辺部１０４ａと互いに平行（略平行としてもよい）に相対する直線状の辺部１０４ｃと、辺部１０４ｃの辺部１０４ｂ側とは反対側の端部から連設され外側に湾曲した円弧状の辺部１０４ｄと、辺部１０４ｄの辺部１０４ｃ側とは反対側の端部と辺部１０４ａの正面側の端部（辺部１０２ａと辺部１０２ｄの接点に折れ線Ｃ１０２ａを介して接する点）間に形成され、外側に湾曲した円弧状の辺部１０４ｅとを有しており、右底面部１０４は、辺部１０４ａ〜辺部１０４ｅに囲まれた形状をしている。なお、辺部１０４ｃは、辺部１０２ａと平行となっている。
【００４６】
また、右底面部１０４においては、罫線（第２罫線）（第２折曲げ補助線）Ｃ１０４が、基点Ｐ１０ａと辺部１０４ｃ上の基点Ｐ１０ｃ（第３基点）との間に直線状に形成されており、罫線Ｃ１０４は、基点Ｐ１０ａから基点Ｐ１０ｃまで連続して形成されている。基点Ｐ１０ｃは、罫線Ｃ１０２を含み中底面部１０２に対して垂直（略垂直としてもよい）な平面が辺部１０４ｃに交わる交点の位置よりも背面側寄りの位置に設けられている。つまり、展開状態において、罫線Ｃ１０４は、罫線Ｃ１０２からの延長線に対して背面側に傾斜している。つまり、右後底面部１０４Ｂ（後述）において、折れ線Ｃ１０４に沿った辺部と折れ線Ｃ１０２ａに沿った辺部間の角度α１２は、鋭角となっている。
【００４７】
ここで、基点Ｐ１０ｃは、基点Ｐ１０ａを始点として辺部１０２ａとの背面側の角度α１２が鋭角となるように背面側に傾斜した仮想直線（第２仮想直線）が辺部１０４ｃと接する点といえる。
【００４８】
また、左底面部１０６は、台形状の一方の脚部が切り欠かれた形状を呈している。つまり、左底面部１０６は、折れ線Ｃ１０２ｃに沿った直線状の辺部１０６ａと、辺部１０６ａの背面側の端部（折れ線Ｃ１０２ｃと折れ線Ｃ１０２ｂが接する点）から左側面側に連設され、辺部１０６ａとなす角部の角度（内側の角度）α２１が鈍角の直線状の辺部１０６ｂと、辺部１０６ｂの辺部１０６ａ側とは反対側の端部から連設され、辺部１０６ａと互いに平行（略平行）に相対する直線状の辺部１０６ｃと、辺部１０６ｃの辺部１０６ｂ側とは反対側の端部から連設され外側に湾曲した円弧状の辺部１０６ｄと、辺部１０６ｄの辺部１０６ｃ側とは反対側の端部と辺部１０６ａの正面側の端部（辺部１０２ｃと辺部１０２ｄの接点に折れ線Ｃ１０２ｃを介して接する点）間に形成され、外側に湾曲した円弧状の辺部１０６ｅとを有しており、左底面部１０６は、辺部１０６ａ〜辺部１０６ｅに囲まれた形状をしている。なお、辺部１０６ｃは、辺部１０２ｃと平行となっている。角度α２１は、角度α１１と同一（略同一としてもよい）となっている。
【００４９】
また、左底面部１０６においては、罫線（第３罫線）（第３折曲げ補助線）Ｃ１０６が、基点Ｐ１０ｂと辺部１０６ｃ上の基点Ｐ１０ｄ（第４基点）との間に直線状に形成されており、罫線Ｃ１０６は、基点Ｐ１０ｂから基点Ｐ１０ｄまで連続して形成されている。基点Ｐ１０ｄは、基点Ｐ１０ｃを含み中底面部１０２に対して垂直（略垂直としてもよい）で罫線Ｃ１０２に対して平行（略平行としてもよい）な平面が辺部１０６ｃに交わる交点上に設けられている。つまり、展開状態において、罫線Ｃ１０６は、罫線Ｃ１０２からの延長線に対して背面側に傾斜している。つまり、左後底面部１０６Ｂ（後述）において、折れ線Ｃ１０６に沿った辺部と折れ線Ｃ１０２ｃに沿った辺部間の角度α２２は、鋭角となっていて、角度α２２は、角度α１２と同一（略同一としてもよい）となっている。
【００５０】
ここで、基点Ｐ１０ｄは、基点Ｐ１０ｂを始点として辺部１０２ｃとの背面側の角度α２２が鋭角となるように背面側に傾斜した仮想直線（第３仮想直線）が辺部１０６ｃと接する点といえる。
【００５１】
なお、上記右底面部１０４の辺部１０４ａと辺部１０４ｃ間の間隔の長さＬ１（第１長さ）は、左底面部１０６の辺部１０６ａと辺部１０６ｃ間の間隔の長さＬ２（第２長さ）と同一（略同一としてもよい）の長さになっている。
【００５２】
また、罫線Ｃ１０２、Ｃ１０４、Ｃ１０６は、トレー５−１の外側の面（底面部１００においては、底面側の面）側から押圧した押罫により形成されている。また、トレー５−１における折れ線（折れ線Ｃ１０２ａ、Ｃ１０２ｂ、Ｃ１０２ｃ、Ｃ１０４ｂ、Ｃ１０６ｂ、Ｃ１１２ｂ、Ｃ１１２ｄ、Ｃ１２０ｂ、Ｃ１３０ｂ）は、トレー５−１の内側の面側から押圧した押罫により形成されている。
【００５３】
以上のように、底面部１００には、罫線Ｃ１０２と罫線Ｃ１０４と罫線Ｃ１０６とから成る罫線Ｃ１００（図４を参照）が形成され、罫線Ｃ１００は、底面部１００の左右方向の全幅に亘って形成され、底面部１００は、罫線Ｃ１００を境界線として、該境界線よりも前方（正面側）の領域である前底面部１００Ａと、該境界線よりも後方（背面側）の領域である後底面部１００Ｂとに区画分けされている。つまり、中底面部１０２は、罫線Ｃ１０２を境界線として、罫線Ｃ１０２よりも前方の領域である中前底面部１０２Ａと、罫線Ｃ１０２よりも後方の領域である中後底面部１０２Ｂとに区画分けされ、右底面部１０４は、罫線Ｃ１０４を境界線として、罫線Ｃ１０４よりも前方の領域である右前底面部１０４Ａと、罫線Ｃ１０４よりも後方の領域である右後底面部１０４Ｂとに区画分けされ、左底面部１０６は、罫線Ｃ１０６を境界線として、罫線Ｃ１０６よりも前方の領域である左前底面部１０６Ａと、罫線Ｃ１０６よりも後方の領域である左後底面部１０６Ｂとに区画分けされている。
【００５４】
なお、中底面部１０２の辺部１０２ｄと、右底面部１０４の辺部１０４ｅと、左底面部１０６の辺部１０６ｅの曲率は等しく、辺部１０２ｄと辺部１０４ｅと辺部１０６ｅとにより、１つの円弧が形成され、底面部１００の正面側の辺部１００ａ（図４を参照）は、辺部１０２ｄと辺部１０４ｄと辺部１０４ｅと辺部１０６ｄと辺部１０６ｅとにより構成され、底面部１００の背面側の辺部１００ｂ（図５を参照）は、中底面部１０２の辺部１０２ｂと右底面部１０４の辺部１０４ｂと左底面部１０６の辺部１０６ｂとにより構成され、背面部１１０は、この辺部１００ｂから折れ線Ｃ１００ｂ（辺部１０２ｂに沿った折れ線Ｃ１０２ｂと辺部１０４ｂに沿った折れ線Ｃ１０４ｂと辺部１０６ｂに沿った折れ線Ｃ１０６ｂとから成る折れ線）を介して連設されている。
【００５５】
なお、底面部１００においては、中底面部１０２の正面側の端部（つまり、辺部１０２ｄにおける正面側の端部）が、右底面部１０４の正面側の端部（つまり、辺部１０４ｅの正面側の端部）や左底面部１０６の正面側の端部（つまり、辺部１０６ｅの正面側の端部）よりも正面側にあり、中底面部１０２の正面側の領域は、右底面部１０４の正面側の端部や左底面部１０６の正面側の端部よりも正面側に突出している。これにより、前底面部１００Ａを後底面部１００Ｂに対して折り曲げる際には、正面側に最も突出している中底面部１０２に指をかけることになり、指をかける部分が中底面部１０２の正面側の端部（つまり、底面部１００における左右方向の中央）であるので、前底面部１００Ａを折り曲げる際の力を左右均等に働かせることができ、円滑に折曲げを行なうことができる。また、中底面部１０２に指をかける構成であるので、左右どちらの手でも前底面部１００Ａを後底面部１００Ｂに対して折り曲げやすくなっている。
【００５６】
また、背面部１１０は、中底面部１０２の背面側の辺部１０２ｂから折れ線Ｃ１０２ｂを介して連設された長方形状の中背面部１１２と、中背面部１１２の右側面側の辺部１１２ｂに沿った折れ線Ｃ１１２ｂと右底面部１０４の背面側の辺部１０４ｂに沿った折れ線Ｃ１０４ｂ間に設けられた四角形状の右背面部１１４と、中背面部１１２の左側面側の辺部１１２ｄに沿った折れ線Ｃ１１２ｃと左底面部１０６の背面側の辺部１０６ｂに沿った折れ線Ｃ１０６ｂ間に設けられた四角形状の左背面部１１６とを有している。
【００５７】
つまり、中背面部１１２は、折れ線Ｃ１０２ｂに沿った直線状の辺部１１２ａと、辺部１１２ａの右側面側の端部から連設され、展開状態において、中底面部１０２の辺部１０２ａからの延長線上に沿って形成された直線状の辺部１１２ｂと、辺部１１２ｂの辺部１１２ａ側とは反対側の端部から連設され、辺部１１２ａと互いに平行に相対する直線状の辺部１１２ｃと、辺部１１２ｃの辺部１１２ｂ側とは反対側の端部から連設され、展開状態において、中底面部１０２の辺部１０２ｃからの延長線上に沿って形成された直線状の辺部１１２ｄとを有しており、中背面部１１２は、辺部１１２ａ〜辺部１１２ｄに囲まれた形状をしている。中背面部１１２は、方形状を呈している。
【００５８】
また、右背面部１１４は、折れ線Ｃ１１２ｂに沿った直線状の辺部１１４ａと、折れ線Ｃ１０４ｂに沿った直線状の辺部１１４ｂと、辺部１１４ｂの辺部１１４ａ側とは反対側の端部（折れ線Ｃ１０４ｂと折れ線Ｃ１０４ｃが接する点）から連設され、辺部１１４ｂとなす角部の角度（内側の角度）α１３が鈍角の直線状の辺部１１４ｃと、辺部１１４ｃの辺部１１４ｂ側とは反対側の端部から連設された円弧状の面取り部である辺部１１４ｄと、辺部１１４ｄの辺部１１４ｃ側とは反対側の端部から連設され、中背面部１１２の辺部１１２ｃからの延長線上に沿って形成された直線状の辺部１１４ｅとを有しており、右背面部１１４は、辺部１１４ａ〜辺部１１４ｅに囲まれた形状をしている。
【００５９】
また、左背面部１１６は、折れ線Ｃ１１２ｄに沿った直線状の辺部１１６ａと、折れ線Ｃ１０６ｂに沿った直線状の辺部１１６ｂと、辺部１１６ｂの辺部１１６ａ側とは反対側の端部（折れ線Ｃ１０６ｂと折れ線Ｃ１０６ｃが接する点）から連設され、辺部１１６ｂとなす角部の内角（内側の角度）α２３が鈍角の直線状の辺部１１６ｃと、辺部１１６ｃの辺部１１６ｂ側とは反対側の端部から連設された円弧状の面取り部である辺部１１６ｄと、辺部１１６ｄの辺部１１６ｃ側とは反対側の端部から連設され、中背面部１１２の辺部１１２ｃからの延長線上に沿って形成された直線状の辺部１１６ｅとを有しており、左背面部１１６は、辺部１１６ａ〜辺部１１６ｅに囲まれた形状をしている。なお、中背面部１１２の辺部１１２ｃと、右背面部１１４の辺部１１４ｅと、左背面部１１６の辺部１１６ｅは、同一直線上に形成されている。角度α２３は、角度α１３と同一（略同一としてもよい）となっている。
【００６０】
また、右側面部１２０は、辺部（第３辺部）１０４ｃの一部（基点Ｐ１０ｃと辺部１０４ｃの背面側の端部間の辺部）から折れ線Ｃ１０４ｃを介して連設され、略台形状を呈している。つまり、右側面部１２０は、折れ線Ｃ１０４ｃに沿った直線状の辺部１２０ａと、辺部１２０ａの背面側の端部（折れ線Ｃ１０４ｂと折れ線Ｃ１０４ｃが接する点）から連設され、辺部１２０ａとなす角部の角度（内側の角度）α１４が鈍角の直線状の辺部１２０ｂと、辺部１２０ｂの辺部１２０ａ側とは反対側の端部から連設された円弧状の面取り部である辺部１２０ｃと、辺部１２０ｃの辺部１２０ｂ側とは反対側の端部から連設され、辺部１２０ａと互いに平行に相対する直線状の辺部１２０ｄと、辺部１２０ｄの辺部１２０ｃ側とは反対側の端部から連設された面取り部である円弧状の辺部１２０ｅと、辺部１２０ｅの辺部１２０ｄ側とは反対側の端部と辺部１２０ａの正面側の端部（基点Ｐ１０ｃ）間に直線状に形成され、辺部１２０ａとなす角部の角度（内側の角度）が鋭角の辺部１２０ｆとを有しており、右側面部１２０は、辺部１２０ａ〜辺部１２０ｆに囲まれた形状をしている。
【００６１】
また、左側面部１３０は、辺部（第４辺部）１０６ｃの一部（基点Ｐ１０ｄと辺部１０６ｃの背面側の端部間の辺部）から折れ線Ｃ１０６ｃを介して連設され、略台形状を呈している。つまり、左側面部１３０は、折れ線Ｃ１０６ｃに沿った直線状の辺部１３０ａと、辺部１３０ａの背面側の端部（辺部１０６ｂと辺部１０６ｃ間の角部の頂点に折れ線Ｃ１０６ｃを介して接する点）から連設され、辺部１３０ａとなす角部の角度（内側の角度）α２４が鈍角の直線状の辺部１３０ｂと、辺部１３０ｂの辺部１３０ａ側とは反対側の端部から連設された円弧状の面取り部である辺部１３０ｃと、辺部１３０ｃの辺部１３０ｂ側とは反対側の端部から連設され、辺部１３０ａと互いに平行に相対する直線状の辺部１３０ｄと、辺部１３０ｄの辺部１３０ｃ側とは反対側の端部から連設された面取り部である円弧状の辺部１３０ｅと、辺部１３０ｅの辺部１３０ｄ側とは反対側の端部と辺部１３０ａの正面側の端部（基点Ｐ１０ｄ）間に直線状に形成され、辺部１３０ａとなす角部の角度（内側の角度）α２５が鋭角の辺部１３０ｆとを有しており、左側面部１３０は、辺部１３０ａ〜辺部１３０ｆに囲まれた形状をしている。角度α２４は、角度α１４と同一（略同一としてもよい）となっており、角度α２５は、角度α１５と同一（略同一としてもよい）となっている。
【００６２】
また、糊代部（第１接続手段）１４０は、右側面部１２０の背面側の辺部１２０ｂから折れ線Ｃ１２０ｂを介して連設され、三角形状の一部を切り欠いた形状を呈しており、糊代部（第２接続手段）１５０は、左側面部１３０の背面側の辺部１３０ｂから折れ線Ｃ１３０ｂを介して連設され、三角形状の一部を切り欠いた形状を呈している。糊代部１４０の外側の面が右背面部１１４の内側の面に接着され、糊代部１５０の外側の面が左背面部１１６の内側の面に接着されている。これにより、辺部１１４ｃは、折れ線Ｃ１２０ｂに沿った状態であり、辺部１１６ｃは、折れ線Ｃ１３０ｂに沿った状態となっている。糊代部１４０は、右側面部１２０と背面部１１０を接続する接続手段といえ、糊代部１５０は、左側面部１３０と背面部１１０を接続する接続手段といえる。糊代部１４０と糊代部１５０が背面部１１０に接着されていることにより、右底面部１０４と左底面部１０６が中底面部１０２に対して上側に傾斜した状態となっているといえる。
【００６３】
なお、糊代部１４０は右背面部１１４の内側の面に接着され、糊代部１５０は左背面部１１６の内側の面に接着されているとしたが、糊代部１４０が右背面部１１４の外側の面に接着され、糊代部１５０が左背面部１１６の外側の面に接着されていてもよい。
【００６４】
また、糊代部１４０は、右側面部１２０から折れ線Ｃ１２０ｂを介して連設されているとしたが、糊代部が右背面部１１４の右側面側の辺部から折れ線を介して連設されていて、右側面部１２０（右側面部１２０の内側の面又は外側の面）に接着された構成としてもよい。つまり、糊代部１４０は、右側面部１２０と背面部１１０の一方の右側面部１２０と背面部１１０の他方の側の辺部から折れ線を介して連設され、右側面部１２０と背面部１１０の他方に接着されていればよい。同様に、糊代部１５０は、左側面部１３０から折れ線Ｃ１３０ｂを介して連設されているとしたが、糊代部が左背面部１１６の左側面側の辺部から折れ線を介して連設されていて、左側面部１３０（左側面部１３０の内側の面又は外側の面）に接着された構成としてもよい。つまり、糊代部１５０は、左側面部１３０と背面部１１０の一方の左側面部１３０と背面部１１０の他方の側の辺部から折れ線を介して連設され、左側面部１３０と背面部１１０の他方に接着されていればよい。
【００６５】
なお、トレー５−１の各部は、展開状態において、前後方向の中心線を介して、左右対称の形状に形成されている。
【００６６】
トレー５−１は、以上のように構成され、糊代部１４０、１５０が接着されて組立てられた状態においては、右底面部１０４は、中底面部１０２に対して折れ線Ｃ１０２ａを介して斜め上方（中底面部１０２の上面側）に折り曲げられ、辺部１０４ａ側（中底面部１０２側）から辺部１０４ｃ側（右側面部１２０側）に行くに従い上側となる（中底面部１０２の仮想延長平面までの長さが長くなる）ように右側面側（外側）に傾斜し、また、左底面部１０６は、中底面部１０２に対して折れ線Ｃ１０２ｃを介して斜め上方（中底面部１０２の上面側）に折り曲げられ、辺部１０６ａ側（中底面部１０２側）から辺部１０６ｃ側（左側面部１３０側）に行くに従い上側となる（中底面部１０２の仮想延長平面までの長さが長くなる）ように左側面側（外側）に傾斜している。つまり、中後底面部１０２Ｂの上面と右後底面部１０４Ｂの内側の面（トレー５−１を構成するブランクにおける中後底面部１０２Ｂの上面と同じ側の面（該上面と連なる面））がなす角度α１６（右底面部１０４の中底面部１０２に対する傾斜角度）は鈍角をなしており、中後底面部１０２Ｂの上面と左後底面部１０６Ｂの内側の面（トレー５−１を構成するブランクにおける中後底面部１０２Ｂの上面と同じ側の面（該上面と連なる面））がなす角度α２６（左底面部１０６の中底面部１０２に対する傾斜角度）は鈍角をなしている。なお、角度α１６と角度α２６は、同一（略同一としてもよい）に形成されている。
【００６７】
また、トレー５−１が組み立てられた状態においては、右側面部１２０は、右底面部１０４に対して折れ線Ｃ１０４ｃを介して斜め上方（右底面部１０４の内側の面側）に折り曲げられ、辺部１２０ａ側（右底面部１０４側）から辺部１２０ｄ側（先端側）に行くに従い上側となる（中底面部１０２の仮想延長平面までの長さが長くなる）ように右側面側（外側）に傾斜し、また、左側面部１３０は、左底面部１０６に対して折れ線Ｃ１０６ｃを介して上方（左底面部１０６の内側の面側）に折り曲げられ、辺部１３０ａ側（左底面部１０６側）から辺部１３０ｄ側（先端側）に行くに従い上側となる（中底面部１０２の仮想延長平面までの長さが長くなる）ように左側面側（外側）に傾斜している。つまり、右後底面部１０４Ｂの内側の面と右側面部１２０の内側の面がなす角度α１７は鈍角をなし、右側面部１２０の内側の面の方向と中後底面部１０２Ｂの上面の方向がなす角度α１８は鈍角をなし、角度α１７、α１８は、角度α１６よりも小さく、また、角度α１８は、角度α１７よりも小さくなっている。また、左後底面部１０６Ｂの内側の面と左側面部１３０の内側の面がなす角度α２７は鈍角をなし、左側面部１３０の内側の面の方向と中後底面部１０２Ｂの上面の方向がなす角度α２８は鈍角をなし、角度α２７、α２８は、角度α２６よりも小さく、また、角度α２８は、角度α２７よりも小さくなっている。
【００６８】
また、背面部１１０は、底面部１００に対して折れ線Ｃ１００ｂを介して内側に折り曲げられ、右側面部１２０に対して折れ線Ｃ１２０ｂを介して内側に折り曲げられた糊代部１４０が右背面部１１４の内側の面に接着されることにより、右背面部１１４が右側面部１２０から連設され、左側面部１３０に対して折れ線Ｃ１３０ｂを介して内側に折り曲げられた糊代部１５０が、左背面部１１６の内側の面に接着されることにより、左背面部１１６が左側面部１３０から連設されている。つまり、糊代部１４０が右背面部１１４に接着された状態では、背面部１１０の右側面側の辺部１１４ｃと右側面部１２０の背面側の辺部１２０ｂとが重なった状態となり、糊代部１５０が左背面部１１６に接着された状態では、背面部１１０の左側面側の辺部１１６ｃと左側面部１３０の背面側の辺部１３０ｂとが重なった状態となる。
【００６９】
なお、角度α１１は鈍角に形成されているので、右背面部１１４は中背面部１１２に対して外側（背面側）に折曲し、中背面部１１２の外側の面と右背面部１１４の外側の面がなす角度は鈍角であり、角度α２１は鈍角に形成されているので、左背面部１１６は中背面部１１２に対して外側（背面側）に折曲し、中背面部１１２の外側の面と左背面部１１６の外側の面がなす角度は鈍角となっている。これにより、トレー５−１を上面視した際には、背面部１１０は、略凹状に窪んだ形状となっている。
【００７０】
また、角度α１４は鈍角であるので、右背面部１１４は、右後底面部１０４Ｂに対して背面側に傾斜し、角度α２４は鈍角であるので、左背面部１１６は、左後底面部１０６Ｂに対して背面側に傾斜し、中背面部１１２は、中後底面部１０２Ｂに対して背面側に傾斜している。
【００７１】
なお、トレー５−１が組み立てられた状態においては、トレー５−１は、中底面部１０２に対して直角をなし前後方向を向いた中心面を介して左右対称に形成されている。
【００７２】
次に、トレー５−１の使用方法について説明する。トレー５−１には、ホットドッグ等の食品を収納して使用するが、図１０、図１１に示すように、片手でトレー５−１を保持することができる。つまり、例えば、右手でトレー５−１を保持する場合には、親指が右側面部１２０に接し、中指、薬指、小指が左側面部１３０に接した状態とすることにより、片手でトレー５−１をつかんだ状態で保持することができる。なお、背面部１１０が上面視において略凹状に窪んだ形状となっているので、人差し指を背面部１１０に接する状態とするのが容易となり、より安定した状態でトレー５−１を保持できる。なお、図１０、図１１の状態では、前底面部１００Ａは後底面部１００Ｂに対して折り曲げられていないものとする。つまり、図１０、図１１は、図１、図２の状態に対して食品を載せた状態である。なお、図１１は、図１０において、トレー５−１の状態を分かりやすくするために、ホットドッグＨを仮想線により表現したものである（図１２、図１３も同じ）。
【００７３】
次に、前底面部１００Ａを後底面部１００Ｂに対して下方に折り曲げることにより、前底面部１００Ａが後底面部１００Ｂに対して下方に折り曲げた状態が維持される。
【００７４】
すなわち、前底面部１００Ａを罫線Ｃ１００を介して後底面部１００Ｂに対して折り曲げることにより、中前底面部１０２Ａが中後底面部１０２Ｂに対して折り曲げられ、右前底面部１０４Ａが右後底面部１０４Ｂに対して折り曲げられ、左前底面部１０６Ａが左後底面部１０６Ｂに対して折り曲げられるが、折れ線Ｃ１０４、Ｃ１０６が折れ線Ｃ１０２に対して傾斜しているので、前底面部１００Ａを後底面部１００Ｂに対して下方に折り曲げた状態では、図６〜図９に示すように、右前底面部１０４Ａが、折れ線（第１折れ線）Ｃ１０２ａを介して中前底面部１０２Ａに対して下方に折り曲げた状態となるとともに、左前底面部１０６Ａが、折れ線（第２折れ線）Ｃ１０２ｃを介して中前底面部１０２Ａに対して下方に折り曲げた状態となる。つまり、前底面部１００Ａを下方に折り曲げた状態で中前底面部１０２Ａの前方の方向から視認すると、折れ線Ｃ１０４、Ｃ１０６は折れ線Ｃ１０２に対して下方に傾斜した状態となっており（図１４（ａ）（イ）参照）、折れ線Ｃ１０４、Ｃ１０６が折れ線Ｃ１０２に対して下方に傾斜するのに伴い、右前底面部１０４Ａと左前底面部１０６Ａが中前底面部１０２Ａに対して下方（外側としてもよい）に傾斜した状態となる。このように、非折曲げ状態の前底面部１００Ａは、その内側の面から見て、略凹状を呈し、折曲げ状態の前底面部１００Ａは、その内側の面から見て、略凸状を呈している。
【００７５】
この前底面部１００Ａの非折曲げ状態から折曲げ状態へ変化する過程において、罫線Ｃ１０２を含み非折り曲げ状態の中底面部１０２に対して垂直な平面が底面部１００に交差する位置から、基点Ｐ１０ｃと基点Ｐ１０ｄを含み中底面部１０２に対して垂直な平面が底面部１００に交差する位置までの間の部分（図７においてハッチングをした部分）を撓ませ、中前底面部１０２Ａの前方の方向から視認した際に、折れ線Ｃ１０４、Ｃ１０６が折れ線Ｃ１０２に対して上側に傾斜した状態（非折曲げ状態）から折れ線Ｃ１０４、Ｃ１０６が折れ線Ｃ１０２と同一直線状の状態を経て、折れ線Ｃ１０４、Ｃ１０６が折れ線Ｃ１０２に対して下側に傾斜した状態（折曲げ状態）となるので、ある程度の外力を加えなければ、非折曲げ状態と折曲げ状態の間を移行することができない。よって、前底面部１００Ａを後底面部１００Ｂに対して下方に折り曲げることにより、折曲げ状態を維持することができる。
【００７６】
なお、前底面部１００Ａの折曲げ状態において、正面側にいくほど右前底面部２０４Ａと左前底面部２０６Ａの中前底面部２０２Ａに対する折曲げ角度は小さくなり、特に、前底面部１００Ａの前後方向の長さが長くなればなるほど、前底面部１００Ａの正面側の端部領域では、右前底面部１０４Ａや左前底面部１０６Ａは中前底面部１０２Ａに対して下方にほとんど折れ曲がらないといえるので、その点では、厳密には、右前底面部１０４Ａの少なくとも背面側の領域と左前底面部１０６Ａの少なくとも背面側の領域が、中前底面部１０２Ａに対して下方に折れ曲がって、前底面部１００Ａの折曲げ状態を維持しているといえる（図７、図８参照）。
【００７７】
なお、角度α１２と角度α２２は同一（略同一としてもよい）であり、角度α１６と角度α２６は同一（略同一としてもよい）であるので、前底面部１００Ａを後底面部１００Ｂに対して折り曲げた際の力が左右均等に働き、円滑に折曲げを行なうことができる。
【００７８】
また、トレー５−１においては、右側面部１２０の正面側の端部は基点Ｐ１０ｃの位置にあり（つまり、右側面部１２０の正面側の辺部１２０ｆが辺部１０４ｃと接する点（第１接点）は、基点Ｐ１０ｃの位置となっている）、左側面部１３０の正面側の端部は基点Ｐ１０ｄの位置にあって（つまり、左側面部１３０の正面側の辺部１３０ｆが辺部１０６ｃと接する点（第２接点）は、基点Ｐ１０ｄの位置となっている）、右側面部１２０の前後方向の長さと左側面部１３０の前後方向の長さは同一に形成されているので、前底面部１００Ａを罫線Ｃ１００の位置で確実に折り曲げることができる。つまり、右側面部１２０と左側面部１３０の前後方向の長さが異なり、右側面部１２０の正面側の端部と左側面部１３０の正面側の端部の前後方向の位置が異なる場合には、折り曲げた際の力が左右均等に底面部１００に働かないため、罫線Ｃ１００の位置で折れ曲がらず、折り曲げた場合の折り線の一部が罫線Ｃ１００上にはないおそれがあるが、本実施例のトレー５−１の場合には、そのようなおそれがない。
【００７９】
なお、右側面部１２０の正面側の辺部１２０ｆが辺部１０４ｃと接する点（第１接点）は、基点Ｐ１０ｃの位置にあり、左側面部１３０の正面側の辺部１３０ｆが辺部１０６ｃと接する点（第２接点）は基点Ｐ１０ｄの位置にあるが、第１接点と第２接点は前後方向において同じ位置（略同一位置としてもよい）にあれば、基点Ｐ１０ｃ、Ｐ１０ｄよりも背面側の位置にあっても、折り曲げた際の力が左右均等に底面部１００に働くため、罫線Ｃ１００の位置で折れ曲がりやすくできる。ただし、第１接点が基点Ｐ１０ｃの位置にあり、第２接点が基点Ｐ１０ｄの位置にあれば、前底面部１００Ａが罫線Ｃ１００よりも背面側の位置で折れ曲がることがないので、第１接点と第２接点の正面側の位置が基点Ｐ１０ｃ、Ｐ１０ｄの位置とするのが好ましい。
【００８０】
以上により、トレー５−１に食品を載せた状態で、前底面部１００Ａを折曲げ状態とすることにより、図１２に示す状態となり、ホットドッグＨと前底面部１００Ａの間に隙間が形成されるので、ホットドッグＨ（特に、ホットドッグＨの正面側の部分）を食べやすくすることができる。
【００８１】
次に、前底面部１００Ａが折曲げ状態の場合に、右側面部１２０と左側面部１３０を内側に押すことにより、前底面部１００Ａの後底面部１００Ｂに対する折曲げ角度を大きくして、図１３、図１４に示すように、前底面部１００Ａが後底面部１００Ｂに対して下方に回動する。
【００８２】
すなわち、右側面部１２０と左側面部１３０を内側に押すことにより、右底面部１０４と左底面部１０６が中底面部１０２に対して上側に回動し、中底面部１０２と右底面部１０４間の角度α１６と中底面部１０２と左底面部１０６間の角度α２６が小さくなる。これにより、図１４（ｂ）に示すように、折れ線Ｃ１０４、Ｃ１０６が折れ線Ｃ１０２に対して上側に回動することになる。
【００８３】
折れ線Ｃ１０４が基点Ｐ１０ａを中心に上側に回動することにより、右前底面部１０４Ａの折れ線Ｃ１０４に沿った辺部１０４Ａａも基点Ｐ１０ａを中心に上側に回動し、すると、右前底面部１０４Ａの折れ線Ｃ１０２ａに沿った辺部１０４Ａｂは、右前底面部１０４Ａが中前底面部１０２Ａと折れ線Ｃ１０２ａを介して連設されていることから、左右方向に対して直角方向でなければならないため、辺部１０４Ａｂは、下方に回動することになり、結果として、右前底面部１０４Ａは、右後底面部１０４Ｂに対して下方に回動することになる。つまり、右側面部１２０を内側に押した力が右底面部１０４に伝わって、右底面部１０４が上側に回動し、右底面部１０４を上側に回動させる力により、右前底面部１０４Ａが下降するといえる。
【００８４】
同様に、折れ線Ｃ１０６が基点Ｐ１０ｂを中心に上側に回動することにより、左前底面部１０６Ａの折れ線Ｃ１０６に沿った辺部１０６Ａａも基点Ｐ１０ｂを中心に上側に回動し、すると、左前底面部１０６Ａの折れ線Ｃ１０２ｃに沿った辺部１０６Ａｂは、左前底面部１０６Ａが中前底面部１０２Ａと折れ線Ｃ１０２ｃを介して連設されていることから、左右方向に対して直角方向でなければならないため、辺部１０６Ａｂは、下方に回動することになり、結果として、左前底面部１０６Ａは、左後底面部１０６Ｂに対して下方に回動することになる。つまり、左側面部１３０を内側に押した力が左底面部１０６に伝わって、左底面部１０６が上側に回動し、左底面部１０６を上側に回動させる力により、左前底面部１０６Ａが下降するといえる。
【００８５】
さらに、中前底面部１０２Ａは、右前底面部１０４Ａと左前底面部１０６Ａが下方に回動するのに伴い、中後底面部１０２Ｂに対して下方に回動する。
【００８６】
以上のようにして、右側面部１２０と左側面部１３０を内側に押すことにより、前底面部１００Ａがより下方に傾斜する。
【００８７】
なお、前底面部１００Ａが後底面部１００Ｂに対して下方に回動すると、中前底面部１０２Ａの先端側から視認した際に、折れ線Ｃ１０２と折れ線Ｃ１０４間の角度α１９と折れ線Ｃ１０２と折れ線Ｃ１０６間の角度α２９は小さくなるので（図１４（ａ）（イ）、（ｂ）（イ）参照）、中前底面部１０２Ａの外側の面と右前底面部１０４Ａの外側の面がなす角度が小さくなるとともに、中前底面部１０２Ａの外側の面と左前底面部１０６Ａの外側の面がなす角度が小さくなり、右前底面部１０４Ａと左前底面部１０６Ａは、中前底面部１０２Ａに対してさらに下方（外側としてもよい）に折り曲がることになる。
【００８８】
なお、図１４（ａ）は、前底面部１００Ａの折曲げ状態において、右側面部１２０と左側面部１３０を内側に押す前の状態を示し、図１４（ｂ）は、前底面部１００Ａの折曲げ状態において、右側面部１２０と左側面部１３０を内側に押した場合の状態を示している。
【００８９】
よって、トレー５−１に食品を載せて、前底面部１００Ａが折曲げ状態の場合において、前底面部１００Ａをより下方に回動させて前底面部１００Ａが邪魔にならないようにするには、右側面部１２０と左側面部１３０を内側に押すようにすればよく、例えば、ホットドッグＨを先端部分を食べてしまって、後底面部１００Ｂの正面側の端部（罫線Ｃ１００としてもよい）から前方に突出した部分を食べるために前底面部１００Ａが邪魔にならないようにするために、右側面部１２０と左側面部１３０を内側に押して前底面部１００Ａを退避させればよい。なお、右側面部１２０と左側面部１３０を内側に押す動作は、例えば、親指で右側面部１２０を押すとともに、中指、薬指、小指で左側面部１３０を押せばよいので、片手で行なうことができる。
【００９０】
以上のように、本実施例のトレー５−１によれば、前底面部１００Ａを後底面部１００Ｂに対して下方に折り曲げた状態を維持できるので、底面部１００に載置した食品（特に、食品の正面側の部分）を食べる際に、前底面部１００Ａが邪魔になることがない。また、前底面部１００Ａが下方に折り曲げた状態が維持されるので、前底面部１００Ａが不用意にもとの状態に戻ってしまうことがなく、トレー５−１に載置された食品を食べるに際してトレー５−１を上下に移動させても、前底面部１００Ａが後底面部１００Ｂに対して揺動する（揺れ動く）ことがなく、その点でも、前底面部１００Ａが邪魔になることがない。
【００９１】
また、前底面部１００Ａが折曲げ状態の場合に、右側面部１２０と左側面部１３０を内側に押すことにより、前底面部１００Ａを後底面部１００Ｂに対して下方に回動させることができるので、食品における後底面部１００Ｂの正面側の端部から前方に突出した部分を食べる際に、前底面部１００Ａが邪魔にならないようにすることができる。
【００９２】
なお、上記の説明においては、罫線Ｃ１０２は、基点Ｐ１０ａから基点Ｐ１０ｂまで形成されているとしたが、中底面部１０２が罫線Ｃ１０２を介して折曲げ可能であれば、罫線Ｃ１０２は必ずしも基点Ｐ１０ａから基点Ｐ１０ｂまでの全長に亘って形成されていなくてもよく、罫線Ｃ１０２の基点Ｐ１０ａ側の端部と基点Ｐ１０ａ間に隙間が形成されてもよく、罫線Ｃ１０２の基点Ｐ１０ｂ側の端部と基点Ｐ１０ｂ間に隙間が形成されてもよく、また、罫線が基点Ｐ１０ａと基点Ｐ１０ｂ間において間隔を介して断続的に形成されていてもよい。つまり、罫線Ｃ１０２は、基点Ｐ１０ａと基点Ｐ１０ｂとの間に基点Ｐ１０ａと基点１０ｂを結ぶ方向（直線方向）に形成されていればよい。
【００９３】
また、上記の説明においては、罫線Ｃ１０４は、基点Ｐ１０ａから基点Ｐ１０ｃまで形成されているとしたが、右底面部１０４が罫線Ｃ１０４を介して折曲げ可能であれば、罫線Ｃ１０４は必ずしも基点Ｐ１０ａから基点Ｐ１０ｃまでの全長に亘って形成されていなくてもよく、罫線Ｃ１０４の基点Ｐ１０ａ側の端部と基点Ｐ１０ａ間に隙間が形成されてもよく、罫線Ｃ１０４の基点Ｐ１０ｃ側の端部と基点Ｐ１０ｃ間に隙間が形成されてもよく、また、罫線が基点Ｐ１０ａと基点Ｐ１０ｃ間において間隔を介して断続的に形成されていてもよい。つまり、罫線Ｃ１０４は、基点Ｐ１０ａと基点Ｐ１０ｃとの間に基点Ｐ１０ａと基点１０ｃを結ぶ方向（直線方向）に形成されていればよい。
【００９４】
また、上記の説明においては、罫線Ｃ１０６は、基点Ｐ１０ｂから基点Ｐ１０ｄまで形成されているとしたが、左底面部１０６が罫線Ｃ１０６を介して折曲げ可能であれば、罫線Ｃ１０６は必ずしも基点Ｐ１０ｂから基点Ｐ１０ｄまでの全長に亘って形成されていなくてもよく、罫線Ｃ１０６の基点Ｐ１０ｂ側の端部と基点Ｐ１０ｂ間に隙間が形成されてもよく、罫線Ｃ１０６の基点Ｐ１０ｄ側の端部と基点Ｐ１０ｄ間に隙間が形成されてもよく、また、罫線が基点Ｐ１０ｂと基点Ｐ１０ｄ間において間隔を介して断続的に形成されていてもよい。つまり、罫線Ｃ１０６は、基点Ｐ１０ｂと基点Ｐ１０ｄとの間に基点Ｐ１０ｂと基点Ｐ１０ｄを結ぶ方向（直線方向）に形成されていればよい。
【００９５】
なお、罫線Ｃ１０２、Ｃ１０４、Ｃ１０６の代わりに、切目線（間隔を介して形成された複数の切込みからなる切目線）により形成された折曲げ補助線としてもよい。
【実施例２】
【００９６】
次に、実施例２のトレーについて説明する。実施例２のトレー５−２は、図１５〜図１９に示すように構成され、底面部２００と、底面部２００の背面側の辺部から折れ線を介して連設された背面部２１０と、底面部２００の右側面側の辺部から折れ線を介して連設された右側面部２２０と、底面部２００の左側面側の辺部から折れ線を介して連設された左側面部２３０と、右側面部２２０の背面側の辺部から連設された糊代部２４０と、左側面部２３０の背面側の辺部から連設された糊代部２５０と、底面部２００の正面側の辺部から折れ線を介して連設された正面部２６０と、右側面部２２０の正面側の辺部から折れ線を介して連設された糊代部２７０と、左側面部２３０の正面側の辺部から折れ線を介して連設された糊代部２８０とを有している。トレー５−２は、全体に１枚のシート状のブランク（具体的には、段ボール製（例えば、薄型段ボール製）のブランクであり、厚紙製のブランク等の他の紙製のブランクでもよい）により形成されている。つまり、トレー５−２は、段ボール材（特に、両面段ボール材）等の紙製のトレーである。段ボールにおける断面略波形形状の中芯の段の方向は、図１７における円内に示す方向となっていて、辺部２０２ａや辺部２０２ｃと平行となっている。
【００９７】
ここで、底面部２００は、中底面部２０２と、中底面部２０２の右側面側の辺部２０２ａから折れ線Ｃ２０２ａを介して連設された右底面部２０４と、中底面部２０２の左側面側の辺部２０２ｃから折れ線Ｃ２０２ｃを介して連設された左底面部２０６とを有している。
【００９８】
また、中底面部２０２は、長方形状を呈している。つまり、中底面部２０２は、前後方向に直線状に延びた右側面側の辺部（第１辺部）２０２ａと、辺部２０２ａの背面側の端部から左側面側に連設され、辺部２０２ａとなす角部の角度（内側の角度）が直角の直線状の辺部２０２ｂと、辺部２０２ｂの辺部２０２ａ側とは反対側の端部から連設され、辺部２０２ａと互いに平行（略平行としてもよい）に相対する直線状の辺部（第２辺部）２０２ｃと、辺部２０２ｃの辺部２０２ｂ側とは反対側の端部と辺部２０２ａの正面側の端部間に形成され、辺部２０２ｂと互いに平行に相対する直線状の辺部２０２ｄとを有しており、中底面部２０２は、辺部２０２ａ〜辺部２０２ｄに囲まれた形状をしている。
【００９９】
また、中底面部２０２においては、罫線（第１折曲げ補助線）Ｃ２０２（第１罫線）が、折れ線Ｃ２０２ａ上の基点Ｐ２０ａ（第１基点）と折れ線Ｃ２０２ｃ上の基点Ｐ２０ｂ（第２基点）との間に直線状に形成されており、罫線Ｃ２０２は、基点Ｐ２０ａから基点Ｐ２０ｂまで連続して形成されている。基点Ｐ２０ａは、折れ線Ｃ２０２ａの前端から後端までの途中位置に設けられており、基点Ｐ２０ｂは、基点Ｐ２０ａを通り折れ線Ｃ２０２ａに対して垂直（略垂直としてもよい）な直線が折れ線Ｃ２０２ｃに交わる交点上に設けられている。つまり、罫線Ｃ２０２は、辺部２０２ａ及び辺部２０２ｃに対して垂直（略垂直としてもよい）で、辺部２０２ｂ及び辺部２０２ｄに対して平行（略平行としてもよい）に対向している。
【０１００】
ここで、基点Ｐ２０ａは、辺部２０２ａの正面側の端部から背面側の端部までの途中位置にあり、また、基点Ｐ２０ｂは、基点Ｐ２０ａを始点として辺部２０２ａに直角な仮想直線（第１仮想直線）が辺部２０２ｃと接する点といえる。
【０１０１】
また、右底面部２０４は、台形状を呈している。つまり、右底面部２０４は、折れ線Ｃ２０２ａに沿った直線状の辺部２０４ａと、辺部２０４ａの背面側の端部（折れ線Ｃ２０２ａと折れ線Ｃ２０２ｂが接する点）から右側面側に連設され、辺部２０４ａとなす角部の角度（内側の角度）α３１が鈍角の直線状の辺部２０４ｂと、辺部２０４ｂの辺部２０４ａ側とは反対側の端部から連設され、辺部２０４ａと互いに平行（略平行としてもよい）に相対する直線状の辺部２０４ｃと、辺部２０４ｃの辺部２０４ｂ側とは反対側の端部から連設され、中底面部２０２の辺部２０２ｄからの延長線上に沿って形成された直線状の辺部２０４ｄとを有しており、右底面部２０４は、辺部２０４ａ〜辺部２０４ｄに囲まれた形状をしている。なお、辺部２０４ｃは、辺部２０２ａと平行となっている。
【０１０２】
また、右底面部２０４においては、罫線（第２折曲げ補助線）Ｃ２０４（第２罫線）が、基点Ｐ２０ａと辺部２０４ｃ上の基点Ｐ２０ｃ（第３基点）との間に直線状に形成されており、罫線Ｃ２０４は、基点Ｐ２０ａから基点Ｐ２０ｃまで連続して形成されている。基点Ｐ２０ｃは、罫線Ｃ２０２を含み中底面部２０２に対して垂直（略垂直としてもよい）な平面が辺部２０４ｃに交わる交点の位置よりも背面側寄りの位置に設けられている。つまり、展開状態において、罫線Ｃ２０４は、罫線Ｃ２０２からの延長線に対して背面側に傾斜している。つまり、右後底面部２０４Ｂ（後述）において、折れ線Ｃ２０４に沿った辺部と折れ線Ｃ２０２ａに沿った辺部間の角度α３２は、鋭角となっている。
【０１０３】
ここで、基点Ｐ２０ｃは、基点Ｐ２０ａを始点として辺部２０２ａとの背面側の角度α３２が鋭角となるように背面側に傾斜した仮想直線（第２仮想直線）が辺部２０４ｃと接する点といえる。
【０１０４】
また、左底面部２０６は、台形状を呈している。つまり、左底面部２０６は、折れ線Ｃ２０２ｃに沿った直線状の辺部２０６ａと、辺部２０６ａの背面側の端部（折れ線Ｃ２０２ｃと折れ線Ｃ２０２ｂが接する点）から左側面側に連設され、辺部２０６ａとなす角部の角度（内側の角度）α４１が鈍角の直線状の辺部２０６ｂと、辺部２０６ｂの辺部２０６ａ側とは反対側の端部から連設され、辺部２０６ａと互いに平行（略平行としてもよい）に相対する直線状の辺部２０６ｃと、辺部２０６ｃの辺部２０６ｂ側とは反対側の端部から連設され、中底面部２０２の辺部２０２ｄからの延長線上に沿って形成された直線状の辺部２０６ｄとを有しており、左底面部２０６は、辺部２０６ａ〜辺部２０６ｄに囲まれた形状をしている。なお、辺部２０６ｃは、辺部２０２ｃと平行となっている。角度α４１は、角度α３１と同一（略同一としてもよい）となっている。
【０１０５】
また、左底面部２０６においては、罫線（第３折曲げ補助線）Ｃ２０６（第３罫線）が、基点Ｐ２０ｂと辺部２０６ｃ上の基点Ｐ２０ｄ（第４基点）との間に直線状に形成されており、罫線Ｃ２０６は、基点Ｐ２０ｂから基点Ｐ２０ｄまで連続して形成されている。基点Ｐ２０ｄは、基点Ｐ２０ｃを含み中底面部２０２に対して垂直（略垂直としてもよい）で罫線Ｃ２０２に対して平行（略平行としてもよい）な平面が辺部２０６ｃに交わる交点上に設けられている。つまり、展開状態において、罫線Ｃ２０６は、罫線Ｃ２０２からの延長線に対して背面側に傾斜している。つまり、左後底面部２０６Ｂ（後述）において、折れ線Ｃ２０６に沿った辺部と折れ線Ｃ２０２ｃに沿った辺部間の角度α４２は、鋭角となっていて、角度α４２は、角度α３２と同一（略同一としてもよい）となっている。
【０１０６】
ここで、基点Ｐ２０ｄは、基点Ｐ２０ｂを始点として辺部２０２ｃとの背面側の角度α４２が鋭角となるように背面側に傾斜した仮想直線（第３仮想直線）が辺部２０６ｃと接する点といえる。
【０１０７】
なお、上記右底面部２０４の辺部２０４ａと辺部２０４ｃ間の間隔の長さＬ３（第１長さ）は、左底面部２０６の辺部２０６ａと辺部２０６ｃ間の間隔の長さＬ４（第２長さ）と同一（略同一としてもよい）の長さになっている。
【０１０８】
また、罫線Ｃ２０２、Ｃ２０４、Ｃ２０６は、トレー５−２の外側の面（底面部２００においては、底面側の面）側から押圧した押罫により形成されている。また、トレー５−２における折れ線（折れ線Ｃ２０２ａ、Ｃ２０２ｂ、Ｃ２０２ｃ、Ｃ２０４ｂ、Ｃ２０６ｂ、Ｃ２１２ｂ、Ｃ２１２ｄ、Ｃ２２０ｂ、Ｃ２３０ｂ）は、トレー５−２の内側の面側から押圧した押罫により形成されている。
【０１０９】
以上のように、底面部２００には、罫線Ｃ２０２と罫線Ｃ２０４と罫線Ｃ２０６とから成る罫線Ｃ２００（図１８を参照）が形成され、罫線Ｃ２００は、底面部２００の左右方向の全幅に亘って形成され、底面部２００は、罫線Ｃ２００を境界線として、該境界線よりも前方（正面側）の領域である前底面部２００Ａと、該境界線よりも後方（背面側）の領域である後底面部２００Ｂとに区画分けされている。つまり、中底面部２０２は、罫線Ｃ２０２を境界線として、罫線Ｃ２０２よりも前方の領域である中前底面部２０２Ａと、罫線Ｃ２０２よりも後方の領域である中後底面部２０２Ｂとに区画分けされ、右底面部２０４は、罫線Ｃ２０４を境界線として、罫線Ｃ２０４よりも前方の領域である右前底面部２０４Ａと、罫線Ｃ２０４よりも後方の領域である右後底面部２０４Ｂとに区画分けされ、左底面部２０６は、罫線Ｃ２０６を境界線として、罫線Ｃ２０６よりも前方の領域である左前底面部２０６Ａと、罫線Ｃ２０６よりも後方の領域である左後底面部２０６Ｂとに区画分けされている。
【０１１０】
なお、中底面部２０２の辺部２０２ｄと、右底面部２０４の辺部２０４ｄと、左底面部２０６の辺部２０６ｄは、同一直線上に形成され、底面部２００の正面側の辺部２００ａ（図１８を参照）は、辺部２０２ｄと辺部２０４ｄと辺部２０６ｄとにより構成され、底面部２００の背面側の辺部２００ｂ（図１７、図１９を参照）は、中底面部２０２の辺部２０２ｂと右底面部２０４の辺部２０４ｂと左底面部２０６の辺部２０６ｂとにより構成され、背面部２１０は、この辺部２００ｂから折れ線Ｃ２００ｂ（辺部２０２ｂに沿った折れ線Ｃ２０２ｂと辺部２０４ｂに沿った折れ線Ｃ２０４ｂと辺部２０６ｂに沿った折れ線Ｃ２０６ｂとから成る折れ線）を介して連設されている。
【０１１１】
また、背面部２１０は、中底面部２０２の背面側の辺部２０２ｂから折れ線Ｃ２０２ｂを介して連設された長方形状の中背面部２１２と、中背面部２１２の右側面側の辺部２１２ｂに沿った折れ線Ｃ２１２ｂと右底面部２０４の背面側の辺部２０４ｂに沿った折れ線Ｃ２０４ｂ間に設けられた略四角形状の右背面部２１４と、中背面部２１２の左側面側の辺部２１２ｄに沿った折れ線Ｃ２１２ｄと左底面部２０６の背面側の辺部２０６ｂに沿った折れ線Ｃ２０６ｂ間に設けられた略四角形状の左背面部２１６とを有している。
【０１１２】
つまり、中背面部２１２は、折れ線Ｃ２０２ｂに沿った直線状の辺部２１２ａと、辺部２１２ａの右側面側の端部から連設され、展開状態において、中底面部２０２の辺部２０２ａからの延長線上に沿って形成された直線状の辺部２１２ｂと、辺部２１２ｂの辺部２１２ａ側とは反対側の端部から連設され、辺部２１２ａと互いに平行に相対する直線状の辺部２１２ｃと、辺部２１２ｃの辺部２１２ｂ側とは反対側の端部から連設され、展開状態において、中底面部２０２の辺部２０２ｃからの延長線上に沿って形成された直線状の辺部２１２ｄとを有しており、中背面部２１２は、辺部２１２ａ〜辺部２１２ｄに囲まれた形状をしている。中背面部２１２は、方形状を呈している。
【０１１３】
また、右背面部２１４は、折れ線Ｃ２１２ｂに沿った直線状の辺部２１４ａと、折れ線Ｃ２０４ｂに沿った直線状の辺部２１４ｂと、辺部２１４ｂの辺部２１４ａ側とは反対側の端部（折れ線Ｃ２０４ｂと折れ線Ｃ２０４ｃが接する点）から連設され、辺部２１４ｂとなす角部の角度（内側の角度）α３３が鈍角の直線状の辺部２１４ｃと、辺部２１４ｃの辺部２１４ｂ側とは反対側の端部から連設された円弧状の面取り部である辺部２１４ｄと、辺部２１４ｄの辺部２１４ｃ側とは反対側の端部から連設され、中背面部２１２の辺部２１２ｃからの延長線上に沿って形成された直線状の辺部２１４ｅとを有しており、右背面部２１４は、辺部２１４ａ〜辺部２１４ｅに囲まれた形状をしている。
【０１１４】
また、左背面部２１６は、折れ線Ｃ２１２ｄに沿った直線状の辺部２１６ａと、折れ線Ｃ２０６ｂに沿った直線状の辺部２１６ｂと、辺部２１６ｂの辺部２１６ａ側とは反対側の端部（折れ線Ｃ２０６ｂと折れ線Ｃ２０６ｃが接する点）から連設され、辺部２１６ｂとなす角部の角度（内側の角度）α４３が鈍角の直線状の辺部２１６ｃと、辺部２１６ｃの辺部２１６ｂ側とは反対側の端部から連設された円弧状の面取り部である辺部２１６ｄと、辺部２１６ｄの辺部２１６ｃ側とは反対側の端部から連設され、中背面部２１２の辺部２１２ｃからの延長線上に沿って形成された直線状の辺部２１６ｅとを有しており、左背面部２１６は、辺部２１６ａ〜辺部２１６ｅに囲まれた形状をしている。なお、中背面部２１２の辺部２１２ｃと、右背面部２１４の辺部２１４ｅと、左背面部２１６の辺部２１６ｅは、同一直線上に形成されている。角度α４３は、角度α３３と同一（略同一としてもよい）となっている。
【０１１５】
また、右側面部２２０は、右底面部２０４の辺部（第３辺部）２０４ｃから折れ線Ｃ２０４ｃを介して連設され、台形状の一方の底辺部に略Ｖ字形の切欠部が形成された形状を呈している。つまり、右側面部２２０は、折れ線Ｃ２０４ｃに沿った直線状の辺部２２０ａと、辺部２２０ａの背面側の端部（折れ線Ｃ２０４ｂと折れ線Ｃ２０４ｃが接する点）から連設され、辺部２２０ａとなす角部の角度（内側の角度）α３４が鈍角の直線状の辺部２２０ｂと、辺部２２０ｂの辺部２２０ａ側とは反対側の端部から連設された略円弧状の面取り部である辺部２２０ｃと、辺部２２０ｃの辺部２２０ｂ側とは反対側の端部から連設され、辺部２２０ａと互いに平行に相対する直線状の辺部２２０ｄと、辺部２２０ｄの辺部２２０ｃ側とは反対側の端部から連設された略円弧状の面取り部である辺部２２０ｅと、辺部２２０ｅの辺部２２０ｄ側とは反対側の端部から連設され、辺部２２０ｄからの延長線に対して傾斜しており、辺部２２０ｅ側とは反対側に行くに従い辺部２２０ａとの間の距離が短くなる直線状の辺部２２０ｆと、辺部２２０ｆの辺部２２０ｅ側とは反対側の端部から連設され、辺部２２０ｄからの延長線に対して傾斜しており、辺部２２０ｆ側とは反対側に行くに従い辺部２２０ａとの間の距離が長くなる直線状の辺部２２０ｇと、辺部２２０ｇの辺部２２０ｆ側とは反対側の端部から連設された略円弧状の面取り部である辺部２２０ｈと、辺部２２０ｈの辺部２２０ｇ側とは反対側の端部から連設され、辺部２２０ｄからの延長線上に形成された（つまり、辺部２２０ａと平行な）辺部２２０ｉと、辺部２２０ｉの辺部２２０ｈ側とは反対側の端部から連設された円弧状の面取り部である辺部２２０ｊと、辺部２２０ｊの辺部２２０ｉ側とは反対側の端部と辺部２２０ａの正面側の端部（折れ線Ｃ２０４ｃと折れ線Ｃ２００ａが接する点）間に形成され、辺部２２０ａとなす角部の角度（内側の角度）α３５が鈍角の直線状の辺部２２０ｋとを有している。
【０１１６】
つまり、右側面部２２０は、辺部２２０ａ〜辺部２２０ｋに囲まれた形状をしており、その先端部（右底面部２０４側とは反対側の端部）には、辺部２２０ｆと辺部２２０ｇにより切欠部２２２（第１切欠部）が形成されている。
【０１１７】
また、右側面部２２０には、切欠部２２２の底部（辺部２２０ｆと辺部２２０ｇの接点）と基点Ｐ２０ｃ間を結ぶ線分上に断続的に形成された複数の切込みから成る切目線（第１切目線）２２４が形成されている。右側面部２２０において、切目線２２４よりも正面側の領域が、前右側面部２２０Ａとなり、切目線２２４よりも背面側の領域が、後右側面部２２０Ｂとなる。
【０１１８】
また、左側面部２３０は、左底面部２０６の辺部（第４辺部）２０６ｃから折れ線Ｃ２０６ｃを介して連設され、その展開状態において、右側面部２２０と前後方向の中心線を介して左右対称に形成されている。すなわち、左側面部２３０は、台形状の一方の底辺部に略Ｖ字形の切欠部が形成された形状を呈している。つまり、左側面部２３０は、折れ線Ｃ２０６ｃに沿った直線状の辺部２３０ａと、辺部２３０ａの背面側の端部（折れ線Ｃ２０６ｂと折れ線Ｃ２０６ｃが接する点）から連設され、辺部２３０ａとなす角部の角度（内側の角度）α４４が鈍角の直線状の辺部２３０ｂと、辺部２３０ｂの辺部２３０ａ側とは反対側の端部から連設された略円弧状の面取り部である辺部２３０ｃと、辺部２３０ｃの辺部２３０ｂ側とは反対側の端部から連設され、辺部２３０ａと互いに平行に相対する直線状の辺部２３０ｄと、辺部２３０ｄの辺部２３０ｃ側とは反対側の端部から連設された略円弧状の面取り部である辺部２３０ｅと、辺部２３０ｅの辺部２３０ｄ側とは反対側の端部から連設され、辺部２３０ｄからの延長線に対して傾斜しており、辺部２３０ｅ側とは反対側に行くに従い辺部２３０ａとの間の距離が短くなる直線状の辺部２３０ｆと、辺部２３０ｆの辺部２３０ｅ側とは反対側の端部から連設され、辺部２３０ｄからの延長線に対して傾斜しており、辺部２３０ｆ側とは反対側に行くに従い辺部２３０ａとの間の距離が長くなる直線状の辺部２３０ｇと、辺部２３０ｇの辺部２３０ｆ側とは反対側の端部から連設された略円弧状の面取り部である辺部２３０ｈと、辺部２３０ｈの辺部２３０ｇ側とは反対側の端部から連設され、辺部２３０ｄからの延長線上に沿って形成された（つまり、辺部２３０ａと平行な）辺部２３０ｉと、辺部２３０ｉの辺部２３０ｈ側とは反対側の端部から連設された略円弧状の面取り部である辺部２３０ｊと、辺部２３０ｊの辺部２３０ｉ側とは反対側の端部と辺部２３０ａの正面側の端部（折れ線Ｃ２０６ｃと折れ線Ｃ２００ａが接する点）間に形成され、辺部２３０ａとなす角部の角度（内側の角度）α４５が鈍角の直線状の辺部２３０ｋとを有している。角度α４４は、角度α３４と同一（略同一としてもよい）となっており、角度α４５は、角度α３５と同一（略同一としてもよい）となっている。
【０１１９】
つまり、左側面部２３０は、辺部２３０ａ〜辺部２３０ｋに囲まれた形状をしており、その先端部（左底面部２０６側とは反対側の端部）には、辺部２３０ｆと辺部２３０ｇにより切欠部２３２（第２切欠部）が形成されている。
【０１２０】
また、左側面部２３０には、切欠部２３２の底部（辺部２３０ｆと辺部２３０ｇの接点）と基点Ｐ２０ｄ間を結ぶ線分上に断続的に形成された複数の切込みから成る切目線（第２切目線）２３４が形成されている。左側面部２３０において、切目線２３４よりも正面側の領域が、前左側面部２３０Ａとなり、切目線２３４よりも背面側の領域が、後左側面部２３０Ｂとなる。
【０１２１】
また、正面部２６０は、底面部２００の正面側の辺部２００ａから折れ線Ｃ２００ａを介して連設され、台形状の１つの平板状を呈する。つまり、正面部２６０は、折れ線Ｃ２００ａに沿った直線状の辺部２６０ａと、辺部２６０ａの右側面側の端部（折れ線Ｃ２０４ｃと折れ線Ｃ２２０ｋが接する点）から連設され、辺部２６０ａとなす角部の角度（内側の角度）α３０が鈍角の辺部２６０ｂと、辺部２６０ｂの辺部２６０ａ側とは反対側の端部から連設された面取り部である略円弧状の辺部２６０ｃと、辺部２６０ｃの辺部２６０ｂ側とは反対側の端部から連設され、辺部２６０ａと互いに平行に相対する辺部２６０ｄと、辺部２６０ｄの辺部２６０ｃ側とは反対側の端部から連設された面取り部である略円弧状の辺部２６０ｅと、辺部２６０ｅの辺部２６０ｄ側とは反対側の端部と辺部２６０ａの左側面側の端部（折れ線Ｃ２０６ｃと折れ線Ｃ２３０ｋが接する点）間に形成され、辺部２６０ａとなす角部の角度（内側の角度）α４０が鈍角の辺部２６０ｆとを有しており、正面部２６０は、辺部２６０ａ〜辺部２６０ｆに囲まれた形状をしている。角度α４０は、角度α３０と同一（略同一としてもよい）となっている。
【０１２２】
また、糊代部（第１接続手段）２４０は、右側面部２２０の背面側の辺部２２０ｂから折れ線Ｃ２２０ｂを介して連設され、三角形状の一部を切り欠いた形状を呈しており、糊代部（第２接続手段）２５０は、左側面部２３０の背面側の辺部２３０ｂから折れ線Ｃ２３０ｂを介して連設され、三角形状の一部を切り欠いた形状を呈しており、糊代部（第３接続手段）２７０は、右側面部２２０の正面側の辺部２２０ｋから折れ線Ｃ２２０ｋを介して連設され、三角形状の一部を切り欠いた形状を呈しており、糊代部（第４接続手段）２８０は、左側面部２３０の正面側の辺部２３０ｋから折れ線Ｃ２３０ｋを介して連設され、三角形状の一部を切り欠いた形状を呈している。糊代部２４０は、右側面部２２０と背面部２１０を接続する接続手段といえ、糊代部２５０は、左側面部２３０と背面部２１０を接続する接続手段といえ、糊代部２７０は、右側面部２２０と正面部２６０を接続する接続手段といえ、糊代部２８０は、左側面部２３０と正面部２６０を接続する接続手段といえる。糊代部２４０と糊代部２５０が背面部２１０に接着されていることにより、右底面部２０４と左底面部２０６が中底面部２０２に対して上側に傾斜した状態となっているといえる。
【０１２３】
糊代部２４０の外側の面が右背面部２１４の内側の面に接着され、糊代部２５０の外側の面が左背面部２１６の内側の面に接着されている。これにより、辺部２１４ｃは、折れ線Ｃ２２０ｂに沿った状態であり、辺部２１６ｃは、折れ線Ｃ２３０ｂに沿った状態となっている。
【０１２４】
糊代部２７０の外側の面が正面部２６０の内側の面の右側面側の端部領域に接着され、糊代部２８０の外側の面が正面部２６０の内側の面の左側面側の端部領域に接着されている。これにより、辺部２６０ｂは、折れ線Ｃ２２０ｋに沿った状態であり、辺部２６０ｆは、折れ線Ｃ２３０ｋに沿った状態となっている。
【０１２５】
なお、糊代部２４０は右背面部２１４の内側の面に接着され、糊代部２５０は左背面部２１６の内側の面に接着されているとしたが、糊代部２４０が右背面部２１４の外側の面に接着され、糊代部２５０が左背面部２１６の外側の面に接着されていてもよい。また、糊代部２７０と糊代部２８０は正面部２６０の内側の面に接着されているとしたが、糊代部２７０、２８０が正面部２６０の外側の面に接着されていてもよい。
【０１２６】
また、糊代部２４０は、右側面部２２０から折れ線Ｃ２２０ｂを介して連設されているとしたが、糊代部が右背面部２１４の右側面側の辺部から折れ線を介して連設されていて、右側面部２２０（右側面部２２０の内側の面又は外側の面）に接着された構成としてもよい。つまり、糊代部２４０は、右側面部２２０と背面部２１０の一方の右側面部２２０と背面部２１０の他方の側の辺部から折れ線を介して連設され、右側面部２２０と背面部２１０の他方に接着されていればよい。同様に、糊代部２５０は、左側面部２３０から折れ線Ｃ２３０ｂを介して連設されているとしたが、糊代部が左背面部２１６の左側面側の辺部から折れ線を介して連設されていて、左側面部２３０（左側面部２３０の内側の面又は外側の面）に接着された構成としてもよい。つまり、糊代部２５０は、左側面部２３０と背面部２１０の一方の左側面部２３０と背面部２１０の他方の側の辺部から折れ線を介して連設され、左側面部２３０と背面部２１０の他方に接着されていればよい。
【０１２７】
同様に、糊代部２７０は、右側面部２２０から折れ線Ｃ２２０ｋを介して連設されているとしたが、糊代部が正面部２６０の右側面側の辺部から折れ線を介して連設されていて、右側面部２２０（右側面部２２０の内側の面又は外側の面）に接着された構成としてもよい。つまり、糊代部２７０は、右側面部２２０と正面部２６０の一方の右側面部２２０と正面部２６０の他方の側の辺部から折れ線を介して連設され、右側面部２２０と正面部２６０の他方に接着されていればよい。同様に、糊代部２８０は、左側面部２３０から折れ線Ｃ２３０ｋを介して連設されているとしたが、糊代部が正面部２６０の左側面側の辺部から折れ線を介して連設されていて、左側面部２３０（左側面部２３０の内側の面又は外側の面）に接着された構成としてもよい。つまり、糊代部２８０は、左側面部２３０と正面部２６０の一方の左側面部２３０と正面部２６０の他方の側の辺部から折れ線を介して連設され、左側面部２３０と正面部２６０の他方に接着されていればよい。
【０１２８】
なお、トレー５−２の各部は、展開状態において、前後方向の中心線を介して左右対称の形状に形成されている。
【０１２９】
トレー５−２は、以上のように構成され、組立てられた状態においては、右底面部２０４は、中底面部２０２に対して折れ線Ｃ２０２ａを介して斜め上方（中底面部２０２の上面側）に折り曲げられ、辺部２０４ａ側（中底面部２０２側）から辺部２０４ｃ側（右側面部２２０側）に行くに従い上側となる（中底面部２０２の仮想延長平面までの長さが長くなる）ように右側面側（外側）に傾斜し、また、左底面部２０６は、中底面部２０２に対して折れ線Ｃ２０２ｃを介して上方（中底面部２０２の上面側）に折り曲げられ、辺部２０６ａ側（中底面部２０２側）から辺部２０６ｃ側（左側面部２３０側）に行くに従い上側となる（中底面部２０２の仮想延長平面までの長さが長くなる）ように左側面側（外側）に傾斜している。つまり、中底面部２０２の上面と右底面部２０４の内側の面（トレー５−２を構成するブランクにおける中底面部２０２の上面と同じ側の面（該上面と連なる面））がなす基本的に角度α３６は鈍角をなしているが、正面部２６０の辺部（下辺）２６０ａが直線状となっているので、角度α３６は、背面側から正面側に行くほど大きくなり、正面側の端部では、角度α３６は１８０度となっている。また、中底面部２０２の上面と左底面部２０６の内側の面（トレー５−２を構成するブランクにおける中底面部２０２の上面と同じ側の面（該上面と連なる面））がなす角度α４６は鈍角をなしているが、正面部２６０の辺部（下辺）２６０ａが直線状となっているので、角度α４６は、背面側から正面側に行くほど大きくなり、正面側の端部では、角度α４６は１８０度となっている。
【０１３０】
また、トレー５−２が組み立てられた状態においては、右側面部２２０は、右底面部２０４に対して折れ線Ｃ２０４ｃを介して斜め上方（右底面部２０４の内側の面側）に折り曲げられ、辺部２２０ａ側（右底面部２０４側）から辺部２２０ｄ側（先端側）に行くに従い上側となる（中底面部２０２の仮想延長平面までの長さが長くなる）ように右側面側（外側）に傾斜し、また、左側面部２３０は、左底面部２０６に対して折れ線Ｃ２０６ｃを介して上方（左底面部２０６の内側の面側）に折り曲げられ、辺部２３０ａ側（左底面部２０６側）から辺部２３０ｄ側（先端側）に行くに従い上側となる（中底面部２０２の仮想延長平面までの長さが長くなる）ように左側面側（外側）に傾斜している。つまり、右底面部２０４の内側の面と右側面部２２０の内側の面がなす角度α３７は鈍角をなし、右側面部２２０の内側の面の方向と中底面部２０２の上面の方向がなす角度α３８は鈍角をなし、角度α３７、α３８は、角度α３６よりも小さく、また、角度α３８は、角度α３７よりも小さくなっている。また、左底面部２０６の内側の面と左側面部２３０の内側の面がなす角度α４７は鈍角をなし、左側面部２３０の内側の面の方向と中底面部２０２の上面の方向がなす角度α４８は鈍角をなし、角度α４７、α４８は、角度α４６よりも小さく、また、角度α４８は、角度α４７よりも小さくなっている。
【０１３１】
また、背面部２１０は、底面部２００に対して折れ線Ｃ２００ｂを介して内側に折り曲げられ、右側面部２２０に対して折れ線Ｃ２２０ｂを介して内側に折り曲げられた糊代部２４０が右背面部２１４の内側の面に接着されることにより、右背面部２１４が右側面部２２０から連設され、左側面部２３０に対して折れ線Ｃ２３０ｂを介して内側に折り曲げられた糊代部２５０が、左背面部２１６の内側の面に接着されることにより、左背面部２１６が左側面部２３０から連設されている。つまり、糊代部２４０が右背面部２１４に接着された状態では、背面部２１０の右側面側の辺部２１４ｃと右側面部２２０の背面側の辺部２２０ｂとが重なった状態となり、糊代部２５０が左背面部２１６に接着された状態では、背面部２１０の左側面側の辺部２１６ｃと左側面部２３０の背面側の辺部２３０ｂとが重なった状態となる。
【０１３２】
なお、角度α３１は鈍角に形成されているので、右背面部２１４は中背面部２１２に対して外側に折曲し、中背面部２１２の外側の面と右背面部２１４の外側の面がなす角度は鈍角であり、角度α４１は鈍角に形成されているので、左背面部２１６は中背面部２１２に対して外側に折曲し、中背面部２１２の外側の面と左背面部２１６の外側の面がなす角度は鈍角となっている。これにより、トレー５−２を上面視した際には、背面部２１０は、略凹状に窪んだ形状となっている。
【０１３３】
また、角度α３４は鈍角であるので、右背面部２１４は、右底面部２０４に対して背面側に傾斜し、角度α４４は鈍角であるので、左背面部２１６は、左底面部２０６に対して背面側に傾斜し、中背面部２１２は、中底面部２０２に対して背面側に傾斜している。
【０１３４】
また、正面部２６０は、底面部２００に対して折れ線Ｃ２００ａを介して内側に折り曲げられ、右側面部２２０に対して折れ線Ｃ２２０ｋを介して内側に折り曲げられた糊代部２７０が正面部２６０の内側の面に接着されることにより、正面部２６０が右側面部２２０から連設され、左側面部２３０に対して折れ線Ｃ２３０ｋを介して内側に折り曲げられた糊代部２８０が、正面部２６０の内側の面に接着されることにより、正面部２６０が左側面部２３０から連設されている。つまり、糊代部２７０が正面部２６０に接着された状態では、正面部２６０の右側面側の辺部２６０ｂと右側面部２２０の正面側の辺部２２０ｋとが重なった状態となり、糊代部２８０が正面部２６０に接着された状態では、正面部２６０の左側面側の辺部２６０ｆと左側面部２３０の正面側の辺部２３０ｋとが重なった状態となる。
【０１３５】
また、角度α３５、α４５は鈍角であるので、正面部２６０は、正面側に傾斜している。
【０１３６】
なお、トレー５−２が組み立てられた状態においては、トレー５−２は、中底面部２０２に対して直角をなし前後方向を向いた中心面を介して左右対称に形成されている。
【０１３７】
次に、トレー５−２の使用方法について説明する。トレー５−２には、実施例１と同様に、ホットドッグ等の食品を収納して使用するが、図２４、図２５に示すように、片手でトレー５−２を保持することができる。つまり、実施例１と同様に、例えば、右手でトレー５−２を保持する場合には、親指が右側面部２２０に接し、中指、薬指、小指が左側面部２３０に接した状態とすることにより、片手でトレー５−２をつかんだ状態で保持することができる。なお、背面部２１０が上面視において略凹状に窪んだ形状となっているので、人差し指を背面部２１０に接する状態とすることにより、より安定した状態でトレー５−２を保持できる。なお、図２４、図２５の状態では、前底面部２００Ａは後底面部２００Ｂに対して折り曲げられていないものとする。つまり、図２４、図２５は、図１５、図１６の状態に対して食品を載せた状態である。なお、図２５は、図２４において、トレー５−１の２態を分かりやすくするために、ホットドッグＨを仮想線により表現したものである（図２６、図２７も同じ）。
【０１３８】
次に、前底面部２００Ａを後底面部２００Ｂに対して下方に折り曲げることにより、実施例１と同様に、前底面部２００Ａが後底面部２００Ｂに対して下方に折り曲げた状態が維持される。
【０１３９】
すなわち、前底面部２００Ａを罫線Ｃ２００を介して後底面部２００Ｂに対して折り曲げることにより、中前底面部２０２Ａが中後底面部２０２Ｂに対して折り曲げられ、右前底面部２０４Ａが右後底面部２０４Ｂに対して折り曲げられ、左前底面部２０６Ａが左後底面部２０６Ｂに対して折り曲げられるが、折れ線Ｃ２０４、Ｃ２０６が折れ線Ｃ２０２に対して傾斜しているので、前底面部２００Ａを後底面部２００Ｂに対して下方に折り曲げた状態では、図２０〜図２３に示すように、右前底面部２０４Ａが、折れ線（第１折れ線）Ｃ２０２ａを介して中前底面部２０２Ａに対して下方に折り曲げた状態となり、左前底面部２０６Ａが、折れ線（第２折れ線）Ｃ２０２ｃを介して中前底面部２０２Ａに対して下方に折り曲げた状態となる。つまり、前底面部２００Ａを下方に折り曲げた状態で中前底面部２０２Ａの前方の方向から視認すると、折れ線Ｃ２０４、Ｃ２０６は折れ線Ｃ２０２に対して下方に傾斜した状態となっており、折れ線Ｃ２０４、Ｃ２０６が折れ線Ｃ２０２に対して下方に傾斜するのに伴い、右前底面部２０４Ａと左前底面部２０６Ａが中前底面部２０２Ａに対して下方（外側としてもよい）に傾斜した状態となる。このように、非折曲げ状態の前底面部２００Ａは、その内側の面から見て、略凹状を呈し、折曲げ状態の前底面部２００Ａは、その内側の面から見て、略凸状を呈している。
【０１４０】
この前底面部２００Ａの非折曲げ状態から折曲げ状態へ変化する過程において、罫線Ｃ２０２を含み非折り曲げ状態の中底面部２０２に対して垂直な平面が底面部２００に交差する位置から、基点Ｐ２０ｃと基点Ｐ２０ｄを含み中底面部２０２に対して垂直な平面が底面部２００に交差する位置までの間の部分（図２１においてハッチングをした部分）を撓ませ、中前底面部２０２Ａの前方の方向から視認した際に、折れ線Ｃ２０４、Ｃ２０６が折れ線Ｃ２０２に対して上側に傾斜した状態（非折曲げ状態）から折れ線Ｃ２０４、Ｃ２０６が折れ線Ｃ２０２と同一直線状の状態を経て、折れ線Ｃ２０４、Ｃ２０６が折れ線Ｃ２０２に対して下側に傾斜した状態（折曲げ状態）となるので、ある程度の外力を加えなければ、非折曲げ状態と折曲げ状態の間を移行することができない。よって、前底面部２００Ａを後底面部２００Ｂに対して下方に折り曲げることにより、折曲げ状態を維持することができる。
【０１４１】
なお、角度α３２と角度α４２は同一（略同一としてもよい）であり、角度α３６と角度α４６は同一（略同一としてもよい）であるので、前底面部２００Ａを後底面部２００Ｂに対して折り曲げた際の力が左右均等に働き、円滑に折曲げを行なうことができる。
【０１４２】
以上により、トレー５−２に食品を載せた状態で、前底面部２００Ａを折曲げ状態とすることにより、図２６に示す状態となり、ホットドッグＨと前底面部２００Ａの間に隙間が形成されるので、ホットドッグＨ（特に、ホットドッグＨの正面側の部分）を食べやすくすることができる。
【０１４３】
なお、前底面部２００Ａの正面側の端部（つまり、辺部２００ａ）は、前底面部２００Ａが直線状の折れ線Ｃ２００ａを介して連設されていることから、直線状を呈するので、実施例１の場合と比べて、折曲げ状態における右前底面部２０４Ａ、左前底面部２０６Ａの中前底面部２０２Ａに対する折曲げ角度は小さいといえる。つまり、図２２における角度α３Ａは、図８における角度α１Ａよりも小さく、図２２における角度α４Ａは、図８における角度２Ａよりも小さい。なお、図８において、角度α１Ａと角度α２Ａは、同一（略同一としてもよい）であり、図２２において、角度α３Ａと角度４Ａは、同一（略同一としてもよい）である。また、前底面部２００Ａの正面側の端部付近の領域では、右前底面部２０４Ａや左前底面部２０６Ａは中前底面部２０２Ａに対して下方にほとんど折れ曲がっていないので、その点では、厳密には、右前底面部２０４Ａの少なくとも背面側の領域と左前底面部２０６Ａの少なくとも背面側の領域が、中前底面部２０２Ａに対して下方に折れ曲がって、前底面部２００Ａの折曲げ状態を維持しているといえる（図２２、図２３参照）。
【０１４４】
次に、前底面部２００Ａが折曲げ状態の場合に、右側面部２２０と左側面部２３０を内側に押すことにより、実施例１の場合と同様に、前底面部２００Ａの後底面部２００Ｂに対する折曲げ角度を大きくして、図２７、図２８に示すように、前底面部２００Ａが後底面部２００Ｂに対して下方に回動する。
【０１４５】
すなわち、右側面部２２０と左側面部２３０を内側に押すことにより、右底面部２０４と左底面部２０６が中底面部２０２に対して上側に回動し、中底面部２０２と右底面部２０４間の角度α３６と中底面部２０２と左底面部２０６間の角度α４６が小さくなる。これにより、図２８（ｂ）に示すように、折れ線Ｃ２０４、Ｃ２０６が折れ線Ｃ２０２に対して上側に回動することになる。
【０１４６】
折れ線Ｃ２０４が基点Ｐ２０ａを中心に上側に回動することにより、右前底面部２０４Ａの折れ線Ｃ２０４に沿った辺部２０４Ａａも基点Ｐ２０ａを中心に上側に回動し、すると、右前底面部２０４Ａの折れ線Ｃ２０２ａに沿った辺部２０４Ａｂは、右前底面部２０４Ａが中前底面部２０２Ａと折れ線Ｃ２０２ａを介して連設されていることから、左右方向に対して直角方向でなければならないため、辺部２０４Ａｂは、下方に回動することになり、結果として、右前底面部２０４Ａは、右後底面部２０４Ｂに対して下方に回動することになる。つまり、右側面部２２０を内側に押した力が右底面部２０４に伝わって、右底面部２０４が上側に回動し、右底面部２０４を上側に回動させる力により、右前底面部２０４Ａが下降するといえる。
【０１４７】
同様に、折れ線Ｃ２０６が基点Ｐ２０ｂを中心に上側に回動することにより、左前底面部２０６Ａの折れ線Ｃ２０６に沿った辺部２０６Ａａも基点Ｐ２０ｂを中心に上側に回動し、すると、左前底面部２０６Ａの折れ線Ｃ２０２ｃに沿った辺部２０６Ａｂは、左前底面部２０６Ａが中前底面部２０２Ａと折れ線Ｃ２０２ｃを介して連設されていることから、左右方向に対して直角方向でなければならないため、辺部２０６Ａｂは、下方に回動することになり、結果として、左前底面部２０６Ａは、左後底面部２０６Ｂに対して下方に回動することになる。つまり、左側面部２３０を内側に押した力が左底面部２０６に伝わって、左底面部２０６が上側に回動し、左底面部２０６を上側に回動させる力により、左前底面部２０６Ａが下降するといえる。
【０１４８】
さらに、中前底面部２０２Ａは、右前底面部２０４Ａと左前底面部２０６Ａが下方に回動するのに伴い、中後底面部２０２Ｂに対して下方に回動する。
【０１４９】
以上のようにして、右側面部２２０と左側面部２３０を内側に押すことにより、前底面部２００Ａがより下方に傾斜する。
【０１５０】
なお、前底面部２００Ａが後底面部２００Ｂに対して下方に回動すると、中前底面部２０２Ａの先端側から視認した際に、折れ線Ｃ２０２と折れ線Ｃ２０４間の角度α３９と折れ線Ｃ２０２と折れ線Ｃ２０６間の角度α４９は小さくなるので（図２８（ａ）（イ）、（ｂ）（イ）参照）、中前底面部２０２Ａの外側の面と右前底面部２０４Ａの外側の面がなす角度が小さくなるとともに、中前底面部２０２Ａの外側の面と左前底面部２０６Ａの外側の面がなす角度が小さくなり、右前底面部２０４Ａと左前底面部２０６Ａは、中前底面部２０２Ａに対してさらに下方（外側としてもよい）に折り曲がることになる。
【０１５１】
なお、図２８（ａ）は、前底面部２００Ａの折曲げ状態において、右側面部２２０と左側面部２３０を内側に押す前の状態を示し、図２８（ｂ）は、前底面部２００Ａの折曲げ状態において、右側面部２２０と左側面部２３０を内側に押した場合の状態を示している。
【０１５２】
よって、トレー５−２に食品を載せて、前底面部２００Ａが折曲げ状態の場合において、前底面部２００Ａをより下方に回動させて前底面部２００Ａが邪魔にならないようにするには、右側面部２２０と左側面部２３０を内側に押すようにすればよく、例えば、ホットドッグＨを先端部分を食べてしまって、後底面部２００Ｂの正面側の端部から前方に突出した部分を食べるために前底面部２００Ａが邪魔にならないようにするために、右側面部２２０と左側面部２３０を内側に押して前底面部２００Ａを退避させればよい。なお、右側面部２２０と左側面部２３０を内側に押す動作は、例えば、親指で右側面部２２０を押すとともに、中指、薬指、小指で左側面部２３０を押せばよいので、片手で行なうことができる。
【０１５３】
以上のように、本実施例のトレー５−２によれば、前底面部２００Ａを後底面部２００Ｂに対して下方に折り曲げた状態を維持できるので、底面部２００に載置した食品（特に、食品の正面側の部分）を食べる際に、前底面部２００Ａが邪魔になることがない。また、前底面部２００Ａが下方に折り曲げた状態が維持されるので、前底面部２００Ａが不用意にもとの状態に戻ってしまうことがなく、トレー５−２に載置された食品を食べるに際してトレー５−２を上下に移動させても、前底面部２００Ａが後底面部２００Ｂに対して揺動する（揺れ動く）ことがなく、その点でも、前底面部２００Ａが邪魔になることがない。
【０１５４】
なお、トレー５−１とトレー５−２とを比較すると、トレー５−２では、正面部２６０が設けられているので、食品を載置した状態で、正面側が下方となるように傾けても食品が落下してしまうおそれがないのに対して、トレー５−１では、正面部１６０が設けられておらず正面部１６０が邪魔になることがないので、前底面部１００Ａを下方に傾斜させた状態で、食品が食べやすいという利点がある。
【０１５５】
また、前底面部２００Ａが折曲げ状態の場合に、右側面部２２０と左側面部２３０を内側に押すことにより、前底面部２００Ａを後底面部２００Ｂに対して下方に回動させることができるので、食品における後底面部２００Ｂの正面側の端部から前方に突出した部分を食べる際に、前底面部２００Ａが邪魔にならないようにすることができる。
【０１５６】
また、右側面部２２０においては、前右側面部２２０Ａと後右側面部２２０Ｂが切目線２２４を介して連設され、前左側面部２３０Ａと後左側面部２３０Ｂが切目線２３４を介して連設されているので、切目線２２４、２３４を破断しなければ前底面部２００Ａが後底面部２００Ｂに対して折れ曲がることがないので、実施例１の場合と比べて、不用意に前底面部２００Ａが後底面部２００Ｂに対して折れ曲がることがない。
【０１５７】
なお、上記の説明においては、罫線Ｃ２０２は、基点Ｐ２０ａから基点Ｐ２０ｂまで形成されているとしたが、中底面部２０２が罫線Ｃ２０２を介して折曲げ可能であれば、罫線Ｃ２０２は必ずしも基点Ｐ２０ａから基点Ｐ２０ｂまでの全長に亘って形成されていなくてもよく、罫線Ｃ２０２の基点Ｐ２０ａ側の端部と基点Ｐ２０ａ間に隙間が形成されてもよく、罫線Ｃ２０２の基点Ｐ２０ｂ側の端部と基点Ｐ２０ｂ間に隙間が形成されてもよく、また、罫線が基点Ｐ２０ａと基点Ｐ２０ｂ間において間隔を介して断続的に形成されていてもよい。つまり、罫線Ｃ２０２は、基点Ｐ２０ａと基点Ｐ２０ｂとの間に基点Ｐ２０ａと基点２０ｂを結ぶ方向（直線方向）に形成されていればよい。
【０１５８】
また、上記の説明においては、罫線Ｃ２０４は、基点Ｐ２０ａから基点Ｐ２０ｃまで形成されているとしたが、右底面部２０４が罫線Ｃ２０４を介して折曲げ可能であれば、罫線Ｃ２０４は必ずしも基点Ｐ２０ａから基点Ｐ２０ｃまでの全長に亘って形成されていなくてもよく、罫線Ｃ２０４の基点Ｐ２０ａ側の端部と基点Ｐ２０ａ間に隙間が形成されてもよく、罫線Ｃ２０４の基点Ｐ２０ｃ側の端部と基点Ｐ２０ｃ間に隙間が形成されてもよく、また、罫線が基点Ｐ２０ａと基点Ｐ２０ｃ間において間隔を介して断続的に形成されていてもよい。つまり、罫線Ｃ２０４は、基点Ｐ２０ａと基点Ｐ２０ｃとの間に基点Ｐ２０ａと基点２０ｃを結ぶ方向（直線方向）に形成されていればよい。
【０１５９】
また、上記の説明においては、罫線Ｃ２０６は、基点Ｐ２０ｂから基点Ｐ２０ｄまで形成されているとしたが、左底面部２０６が罫線Ｃ２０６を介して折曲げ可能であれば、罫線Ｃ２０６は必ずしも基点Ｐ２０ｂから基点Ｐ２０ｄまでの全長に亘って形成されていなくてもよく、罫線Ｃ２０６の基点Ｐ２０ｂ側の端部と基点Ｐ２０ｂ間に隙間が形成されてもよく、罫線Ｃ２０６の基点Ｐ２０ｄ側の端部と基点Ｐ２０ｄ間に隙間が形成されてもよく、また、罫線が基点Ｐ２０ｂと基点Ｐ２０ｄ間において間隔を介して断続的に形成されていてもよい。つまり、罫線Ｃ２０６は、基点Ｐ２０ｂと基点Ｐ２０ｄとの間に基点Ｐ２０ｂと基点Ｐ２０ｄを結ぶ方向（直線方向）に形成されていればよい。
【０１６０】
なお、罫線Ｃ２０２、Ｃ２０４、Ｃ２０６の代わりに、切目線（間隔を介して形成された複数の切込みからなる切目線）により形成された折曲げ補助線としてもよい。
【０１６１】
なお、上記の説明においては、右側面部２２０には、切目線２２４が形成され、左側面部２３０には、切目線２３４が形成されているとしたが、図２９に示すように、右側面部２２０が、基点Ｐ２０ｃよりも正面側に形成された前右側面部２２０Ａと、基点Ｐ２０ｃよりも背面側に形成された後右側面部２２０Ｂとを有し、左側面部２３０が、基点Ｐ２０ｄよりも正面側に形成された前左側面部２３０Ａと、基点Ｐ２０ｄよりも背面側に形成された後左側面部２３０Ｂとを有する構成としてもよい。つまり、図２９に示す構成においては、右側面部２２０は、基点Ｐ２０ｃを介して、前右側面部２２０Ａと後右側面部２２０Ｂにもともと分離して構成され、図１５〜図１９に示す構成のように切目線を介して分離する構成となっておらず、切目線を介して分離する必要がない構成であり、同様に、左側面部２３０は、基点Ｐ２０ｄを介して、前左側面部２３０Ａと後左側面部２３０Ｂにもともと分離して構成され、図１５〜図１９に示す構成のように切目線を介して分離する構成となっておらず、切目線を介して分離する必要がない構成となっている。
【０１６２】
つまり、前右側面部２２０Ａは、辺部２０４ｃにおける基点Ｐ２０ｃよりも正面側の辺部から折れ線を介して連設され、基点Ｐ２０ｃから辺部２２０ｉの背面側の端部まで略円弧状に形成された辺部２２０ｈ’と辺部２２０ｉと辺部２２０ｊと辺部２２０ｋとを有している。また、後右側面部２２０Ｂは、辺部２０４ｃにおける基点Ｐ２０ｃよりも背面側の辺部から折れ線を介して連設され、辺部２２０ｂと辺部２２０ｃと辺部２２０ｄと辺部２２０ｅ’を有し、辺部２２０ｅ’は、基点Ｐ２０ｃから辺部２２０ｄの正面側の端部まで形成されている。
【０１６３】
また、前左側面部２３０Ａは、辺部２０６ｃにおける基点Ｐ２０ｄよりも正面側の辺部から折れ線を介して連設され、基点Ｐ２０ｄから辺部２３０ｉの背面側の端部まで略円弧状に形成された辺部２３０ｈ’と辺部２３０ｉと辺部２３０ｊと辺部２３０ｋとを有している。また、後右側面部２３０Ｂは、辺部２０６ｃにおける基点Ｐ２０ｄよりも背面側の辺部から折れ線を介して連設され、辺部２３０ｂと辺部２３０ｃと辺部２３０ｄと辺部２３０ｅ’を有し、辺部２３０ｅ’は、基点Ｐ２０ｄから辺部２３０ｄの正面側の端部まで形成されている。
【０１６４】
また、上記実施例２の説明においては、底面部２００の正面側の辺部２００ａは左右方向に直線状を呈し、正面部２６０は１つの平板状を呈するとしたが、底面部２００の正面側を底面部２００の背面側と同様の構成とし、正面部２６０を背面部２１０と同様の構成として、底面部２００と背面部２１０と正面部２６０からなる構成を前後対称の構成としてもよい。その場合には、辺部２０４ｄは辺部２０２ｄに対して正面側に傾斜し、辺部２０６ｄは辺部２０２ｄに対して正面側に傾斜した構成となり、正面部２６０も背面部２１０と同様に、辺部２０２ｄから連設された中正面部と、辺部２０４ｄから連設された右正面部と、辺部２０６ｄから連設された左正面部とを有する構成となり、右正面部と左正面部は、中正面部に対して折れ線を介して正面側に折曲した構成となる。なお、このように、底面部２００と背面部２１０と正面部２６０からなる構成を前後対称の構成とする場合には、前底面部２００Ａにおける正面側の端部領域においては、右前底面部２０４Ａと左前底面部２０６Ａは中前底面部２０２Ａに対して上側に傾斜した構成となるので、前底面部２００Ａを後底面部２００Ｂに対して下方に折り曲げることにより、前底面部２００Ａの罫線Ｃ２００側の領域において、右前底面部２０４Ａの背面側の領域と左前底面部２０６Ａの背面側の領域が、中前底面部２０２Ａに対して下方に折れ曲がって、前底面部２００Ａの折曲げ状態を維持させるには、前底面部２００Ａの前後方向の長さを十分確保する必要がある。
【０１６５】
また、上記実施例１の説明においては、中背面部１１２が中底面部１０２から折れ線を介して連設され、右背面部１１４が右底面部１０４から折れ線を介して連設され、左背面部１１６が左底面部１０６から折れ線を介して連設されており、角度α１１、α２１、α１４、α２４は鈍角であるとしたが、図３０に示すように、α１１、α２１、α１４、α２４は直角をなし、背面部１１０は中底面部１０２からのみ連設された構成としてもよい。糊代部１４０、１５０が背面部１１０に接着されてトレーが組み立てられた状態においては、右底面部１０４の辺部１０４ｂは、背面部１１０の辺部１１４ｂに沿った状態となり、左底面部１０６の辺部１０６ｂは、背面部１１０の辺部１１６ｂに沿った状態となり、背面部１１０の辺部１１４ｃは、右側面部１２０の辺部１２０ｂに沿った状態となり、背面部１１０の辺部１１６ｃは、左側面部１３０の辺部１３０ｂに沿った状態となる。なお、背面部１１０には、折れ線Ｃ１１２ｂ、Ｃ１１２ｄ（図５参照）のような折れ線は設けられてない。
【０１６６】
同様に、上記実施例２の説明においては、中背面部２１２が中底面部２０２から折れ線を介して連設され、右背面部２１４が右底面部２０４から折れ線を介して連設され、左背面部２１６が左底面部２０６から折れ線を介して連設されており、角度α３１、α４１、α３４、α４４は鈍角であるとしたが、図３０に示すように、α３１、α４１、α３４、α４４は直角をなし、背面部２１０は中底面部２０２からのみ連設された構成としてもよい。糊代部２４０、２５０が背面部２１０に接着されてトレーが組み立てられた状態においては、右底面部２０４の辺部２０４ｂは、背面部２１０の辺部２１４ｂに沿った状態となり、左底面部２０６の辺部２０６ｂは、背面部２１０の辺部２１６ｂに沿った状態となり、背面部２１０の辺部２１４ｃは、右側面部２２０の辺部２２０ｂに沿った状態となり、背面部２１０の辺部２１６ｃは、左側面部２３０の辺部２３０ｂに沿った状態となる。なお、背面部２１０には、折れ線Ｃ２１２ｂ、Ｃ２１２ｄ（図１９参照）のような折れ線は設けられてない。
【０１６７】
なお、図１〜図２９に示す例では、右底面部１０４、２０４の背面側の辺部１０４ｂ、２０４ｂは背面部１１０、２１０と折れ線を介して連設され、また、左側面部１０６、２０６の背面側の辺部１０６ｂ、２０６ｂは背面部１１０、２１０と折れ線を介して連設されているので、載置される食品に液状物が含まれている場合でもトレーの底面から落ちてしまうおそれはないが、図３０に示す例では、右側面部１０４、２０４と背面部１１０、２１０とが連設されておらず、左側面部１０６、２０６と背面部１１０、２１０とが連設されていないので、載置する食品は液状物を含まないものとするのが好ましい。
【符号の説明】
【０１６８】
５−１、５−２  トレー
１００、２００  底面部
１００Ａ、２００Ａ  前底面部
１００Ｂ、２００Ｂ  後底面部
１０２、２０２  中底面部
１０２Ａ、２０２Ａ  中前底面部
１０２Ｂ、２０２Ｂ  中後底面部
１０４、２０４  右底面部
１０４Ａ、２０４Ａ  右前底面部
１０４Ｂ、２０４Ｂ  右後底面部
１０６、２０６  左底面部
１０６Ａ、２０６Ａ  左前底面部
１０６Ｂ、２０６Ｂ  左後底面部
１１０、２１０  背面部
１１２、２１２  中背面部
１１４、２１４  右背面部
１１６、２１６  左背面部
１２０、２２０  右側面部
１３０、２３０  左側面部
１４０、１５０、２４０、２５０、２７０、２８０  糊代部
２２２、２３２  切欠部
２２４、２３４  切目線
２６０  正面部
Ｐ１０ａ〜Ｐ１０ｄ、Ｐ２０ａ〜Ｐ２０ｄ  基点
Ｃ１００、Ｃ１０２、Ｃ１０４、Ｃ１０６、Ｃ２００、Ｃ２０２、Ｃ２０４、Ｃ２０６  罫線
１００ａ、１００ｂ、１０２ａ〜１０２ｄ、１０４ａ〜１０４ｅ、１０４Ａａ、１０４Ａｂ、１０６ａ〜１０６ｅ、１０６Ａａ、１０６Ａｂ、１１２ａ〜１１２ｄ、１１４ａ〜１１４ｅ、１１６ａ〜１１６ｅ、１２０ａ〜１２０ｆ、１３０ａ〜１３０ｆ、２００ａ、２００ｂ、２０２ａ〜２０２ｄ、２０４ａ〜２０４ｄ、２０４Ａａ、２０４Ａｂ、２０６ａ〜２０６ｄ、２０６Ａａ、２０６Ａｂ、２１２ａ〜２１２ｄ、２１４ａ〜２１４ｅ、２１６ａ〜２１６ｅ、２２０ａ〜２２０ｋ、２３０ａ〜２３０ｋ、２６０ａ〜２６０ｆ  辺部
Ｃ１００ｂ、Ｃ１０２ａ〜Ｃ１０２ｃ、Ｃ１０４ｂ、Ｃ１０４ｃ、Ｃ１０６ｂ、Ｃ１０６ｃ、Ｃ１１２ｂ、Ｃ１１２ｄ、Ｃ１２０ｂ、Ｃ１３０ｂ、Ｃ２００ａ、Ｃ２００ｂ、Ｃ２０２ａ〜Ｃ２０２ｃ、Ｃ２０４ｂ、Ｃ２０４ｃ、Ｃ２０６ｂ、Ｃ２０６ｃ、Ｃ２１２ｂ、Ｃ２１２ｄ、Ｃ２２０ｂ、Ｃ２２０ｋ、Ｃ２３０ｂ、Ｃ２３０ｋ  折れ線
【図１】
0006989324.tif 000002
【図２】
0006989324.tif 000003
【図３】
0006989324.tif 000004
【図４】
0006989324.tif 000005
【図５】
0006989324.tif 000006
【図６】
0006989324.tif 000007
【図７】
0006989324.tif 000008
【図８】
0006989324.tif 000009
【図９】
0006989324.tif 000010
【図１０】
0006989324.tif 000011
【図１１】
0006989324.tif 000012
【図１２】
0006989324.tif 000013
【図１３】
0006989324.tif 000014
【図１４】
0006989324.tif 000015
【図１５】
0006989324.tif 000016
【図１６】
0006989324.tif 000017
【図１７】
0006989324.tif 000018
【図１８】
0006989324.tif 000019
【図１９】
0006989324.tif 000020
【図２０】
0006989324.tif 000021
【図２１】
0006989324.tif 000022
【図２２】
0006989324.tif 000023
【図２３】
0006989324.tif 000024
【図２４】
0006989324.tif 000025
【図２５】
0006989324.tif 000026
【図２６】
0006989324.tif 000027
【図２７】
0006989324.tif 000028
【図２８】
0006989324.tif 000029
【図２９】
0006989324.tif 000030
【図３０】
0006989324.tif 000031